(57)【特許請求の範囲】
【請求項１】
基地局によって実装される無線ベアラの指示方法であって、
無線ベアラ（ＲＢ）に少なくとも１つの伝送機能を構成することであって、前記少なくとも１つの伝送機能は、データパケット集約プロトコル（ＰＤＣＰ）パケット複製機能およびベアラ分離機能を含む、ことと、
前記ＰＤＣＰパケット複製機能および前記ベアラ分離機能が共有される少なくとも２つの異なる伝送エンティティを構成することと、
第１の情報を第１の指示メッセージに追加することであって、前記第１の情報は、前記伝送機能と前記伝送エンティティを示すためである、ことと、
前記端末が前記第１の指示メッセージにしたがって前記ＲＢに対応する伝送機能と伝送エンティティを設定するように、前記第１の指示メッセージを端末に送信することと
を含み、
前記方法は、
前記ＰＤＣＰパケット複製機能の初期状態を構成することであって、前記初期状態は、活性状態または非活性状態である、ことと、
ベアラ分離ルール中の指定された閾値と指定された伝送エンティティを構成することであって、前記指定された伝送エンティティは、プライマリ無線リンク制御（ＲＬＣ）エンティティまたはセカンダリＲＬＣエンティティである、ことと、
前記端末が、基地局によって構成される前記初期状態をＰＤＣＰパケット複製機能の初期状態として設定し、前記基地局によって構成された前記指定された閾値と前記指定された伝送エンティティにしたがって、ベアラ分離機能に対応するベアラ分離ルールを設定し、初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信し、初期状態が非活性状態であると決定された場合、前記ベアラ分離ルールに指示された現在の伝送エンティティを使用してデータ伝送を行うように、第４の情報を第１の指示メッセージに追加することであって、前記第４の情報は、前記初期状態、前記指定された閾値と前記指定された伝送エンティティを特徴付けるためである、ことと
をさらに含む、無線ベアラの指示方法。
【請求項２】
基地局によって実装される無線ベアラの指示装置であって、
無線ベアラ（ＲＢ）に少なくとも１つの伝送機能を構成するように構成される第１の構成モジュールであって、前記少なくとも１つの伝送機能は、データパケット集約プロトコル（ＰＤＣＰ）パケット複製機能およびベアラ分離機能を含む、第１の構成モジュールと、
前記ＰＤＣＰパケット複製機能および前記ベアラ分離機能が共有される少なくとも２つの異なる伝送エンティティを構成するように構成される第２の構成モジュールと、
第１の情報を第１の指示メッセージに追加するように構成される第１の追加モジュールであって、前記第１の情報は、前記伝送機能と前記伝送エンティティを示すためである、第１の追加モジュールと、
前記端末が前記第１の指示メッセージにしたがって前記ＲＢに対応する伝送機能と伝送エンティティを設定するように、前記第１の指示メッセージを端末に送信するように構成される第１の送信モジュールと
を含み、
前記装置は、
前記ＰＤＣＰパケット複製機能の初期状態を構成するように構成される第５の構成モジュールであって、前記初期状態は、活性状態または非活性状態である、第５の構成モジュールと、
ベアラ分離ルール中の指定された閾値と指定された伝送エンティティを構成するように構成される第６の構成モジュールであって、前記指定された伝送エンティティは、プライマリ無線リンク制御（ＲＬＣ）エンティティまたはセカンダリＲＬＣエンティティである、第６の構成モジュールと、
前記端末が、基地局によって構成される前記初期状態をＰＤＣＰパケット複製機能の初期状態として設定し、前記基地局によって構成された前記指定された閾値と前記指定された伝送エンティティにしたがって、ベアラ分離機能に対応するベアラ分離ルールを設定し、初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信し、初期状態が非活性状態であると決定された場合、前記ベアラ分離ルールに指示された現在の伝送エンティティを使用してデータ伝送を行うように、第４の情報を前記第１の指示メッセージに追加するように構成される第４の追加モジュールであって、前記第４の情報は、前記初期状態、前記指定された閾値と前記指定された伝送エンティティを特徴付けるためである、第４の追加モジュールと
を含む、無線ベアラの指示装置。
【請求項３】
前記少なくとも２つの伝送エンティティは、プライマリ無線リンク制御（ＲＬＣ）エンティティおよびセカンダリＲＬＣエンティティを含む、請求項２に記載の装置。
【請求項４】
前記少なくとも１つの伝送機能は、ＰＤＣＰパケット複製機能のみを含み、前記装置は、
ＰＤＣＰパケット複製機能の初期状態を構成するように構成される第３の構成モジュールであって、前記初期状態は、活性状態または非活性状態である、第３の構成モジュールと、
前記初期状態を特徴付けるための第２の情報を前記第１の指示メッセージに追加するように構成される第２の追加モジュールと
をさらに含み、
又は、
前記少なくとも１つの伝送機能は、ベアラ分離機能のみを含み、前記装置は、
ベアラ分離のための指定された閾値と指定された伝送エンティティを構成するように構成される第４の構成モジュールであって、前記指定された伝送エンティティは、プライマリＲＬＣエンティティまたはセカンダリＲＬＣエンティティである、第４の構成モジュールと、
前記指定された閾値と指定された伝送エンティティを特徴付けるための第３の情報を、前記第１の指示メッセージに追加するように構成される第３の追加モジュールと
をさらに含む、請求項２に記載の装置。
【請求項５】
前記装置は、
前記端末に第２の指示メッセージを送信するように構成される第２の送信モジュールであって、前記第２の指示メッセージは、ＰＤＣＰパケット複製機能に対する失活指示を特徴付けるためである、第２の送信モジュールをさらに含み、
又は、
前記装置は、
前記端末に第３の指示メッセージを送信するように構成される第３の送信モジュールであって、前記第３の指示メッセージは、ＰＤＣＰパケット複製機能に対する構成解除指示を特徴付けるためである、第３の送信モジュールをさらに含み、
又は、
前記装置は、
前記端末に第４の指示メッセージを送信するように構成される第４の送信モジュールであって、前記第４の指示メッセージは、ベアラ分離機能に対する構成解除指示を特徴付けるためである、第４の送信モジュールをさらに含む、請求項２に記載の装置。
【請求項６】
端末によって実装される無線ベアラの指示装置であって、
基地局によって送信された第１の指示メッセージを受信するように構成される第１の受信モジュールであって、前記第１の指示メッセージは第１の情報を含み、前記第１の情報は、前記基地局が無線ベアラ（ＲＢ）に構成した少なくとも１つの伝送機能と少なくとも２つの異なる伝送エンティティを特徴付けるためであり、前記少なくとも１つの伝送機能は、データパケット集約プロトコル（ＰＤＣＰ）パケット複製機能およびベアラ分離機能を含む、第１の受信モジュールと、
前記第１の情報の少なくとも１つの伝送機能にしたがって、前記ＲＢに対応する前記ＰＤＣＰパケット複製機能および前記ベアラ分離機能を設定するように構成される第１の設定モジュールと、
前記第１の情報の少なくとも２つの異なる伝送エンティティにしたがって、前記ＲＢに対応する伝送エンティティを設定するように構成される第２の設定モジュールと
を含み、
前記第１の設定モジュールは、
前記少なくとも１つの伝送機能がＰＤＣＰパケット複製機能とベアラ分離機能を含む場合、前記ＲＢに対応する伝送機能をＰＤＣＰパケット複製機能とベアラ分離機能に設定するように構成される第４の設定サブモジュールをさらに含み、
前記第１の指示メッセージは、第４の情報をさらに含み、前記第４の情報は、前記基地局によって構成された前記ＰＤＣＰパケット複製機能の初期状態、前記基地局によって構成されたベアラ分離のための指定された閾値と指定された伝送エンティティを特徴付けるためであり、前記初期状態は、活性状態または非活性状態であり、前記指定された伝送エンティティは、プライマリ無線リンク制御（ＲＬＣ）エンティティまたはセカンダリＲＬＣエンティティであり、
前記装置は、
前記ＲＢに対応する伝送機能をＰＤＣＰパケット複製機能とベアラ分離機能に設定した後、前記基地局によって構成された前記初期状態をＰＤＣＰパケット複製機能の初期状態として設定するように構成される第６の設定モジュールと、
前記基地局によって構成された前記指定された閾値と前記指定された伝送エンティティにしたがって、ベアラ分離機能に対応するベアラ分離ルールを設定するように構成される第７の設定モジュールであって、前記ベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第７の設定モジュールと、
設定されたＰＤＣＰパケット複製機能の初期状態が活性状態であるかどうかを判定するように構成される第１の判定モジュールと、
初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信するように構成される第２の伝送モジュールと、
初期状態が非活性状態であると決定された場合、前記ベアラ分離ルールに指示された現在の伝送エンティティを使用してデータ伝送を行うように構成される第３の伝送モジュールと
をさらに含む、無線ベアラの指示装置。
【請求項７】
前記少なくとも２つの伝送エンティティは、プライマリ無線リンク制御（ＲＬＣ）エンティティおよびセカンダリＲＬＣエンティティを含み、
前記第２の設定モジュールは、
前記基地局によって構成されたプライマリＲＬＣエンティティとセカンダリＲＬＣエンティティを、前記ＲＢに対応する伝送エンティティとして設定するように構成される第１の設定サブモジュールを含む、請求項６に記載の装置。
【請求項８】
前記少なくとも１つの伝送機能は、データパケット集約プロトコル（ＰＤＣＰ）パケット複製機能および／またはベアラ分離機能を含み、
前記第１の設定モジュールは、
前記少なくとも１つの伝送機能がＰＤＣＰパケット複製機能のみを含む場合、前記ＲＢに対応する伝送機能をＰＤＣＰパケット複製機能に設定するように構成される第２の設定サブモジュールと、
前記少なくとも１つの伝送機能がベアラ分離機能のみを含む場合、前記ＲＢに対応する伝送機能をベアラ分離機能に設定するように構成される第３の設定サブモジュールと
をさらに含む、請求項６または請求項７に記載の装置。
【請求項９】
前記装置は、
前記ＲＢに対応する伝送機能をＰＤＣＰパケット複製機能に設定した後、システムのデフォルトの初期状態をＰＤＣＰパケット複製機能の初期状態として設定するように構成される第３の設定モジュールであって、前記システムのデフォルトの初期状態は、活性状態または非活性状態を含む、第３の設定モジュールをさらに含み、
または、
前記第１の指示情報は、第２の情報をさらに含み、前記第２の情報は、前記基地局によって構成されたＰＤＣＰパケット複製機能の初期状態を特徴付けるためであり、前記初期状態は、活性状態または非活性状態であり、
前記装置は、
前記ＲＢに対応する伝送機能をＰＤＣＰパケット複製機能に設定した後、前記基地局によって構成された前記初期状態をＰＤＣＰパケット複製機能の初期状態として設定するように構成される第４の設定モジュールをさらに含み、
または、
前記第１の指示情報は、第３の情報をさらに含み、前記第３の情報は、前記基地局によって構成されたベアラ分離のための指定された閾値と指定された伝送エンティティを特徴付けるためであり、前記指定された伝送エンティティは、プライマリＲＬＣエンティティまたはセカンダリＲＬＣエンティティであり、
前記装置は、
前記ＲＢに対応する伝送機能をベアラ分離機能に設定した後、前記基地局によって構成された前記指定された閾値と前記指定された伝送エンティティにしたがって、ベアラ分離機能に対応するベアラ分離ルールを設定するように構成される第５の設定モジュールであって、前記ベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第５の設定モジュールと、
前記ベアラ分離ルールで指示された現在の伝送エンティティを使用して、データ伝送を行うように構成される第１の伝送モジュールと
をさらに含む、請求項８に記載の装置。
【請求項１０】
前記装置は、
基地局によって送信された第２の指示メッセージを受信するように構成される第２の受信モジュールであって、前記第２の指示メッセージは、ＰＤＣＰパケット複製機能に対する失活指示を特徴付けるためである、第２の受信モジュールと、
前記ＲＢに対応する伝送機能はＰＤＣＰパケット複製機能を含み、且つ前記ＰＤＣＰパケット複製機能が活性状態にある場合、前記第２の指示情報にしたがって、前記ＲＢに対応する伝送機能がベアラ分離機能を含むかどうかを判定するように構成される第２の判定モジュールと、
前記ＲＢに対応する伝送機能がベアラ分離機能を含む場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行うように構成される第４の伝送モジュールと、
前記ＲＢに対応する伝送機能がベアラ分離機能を含まない場合、セカンダリＲＬＣエンティティを再構築し、プライマリＲＬＣエンティティを使用してデータ伝送を行うように構成される第５の伝送モジュールと
をさらに含む、請求項６に記載の装置。
【請求項１１】
前記第４の伝送モジュールは、
前記基地局によって構成された優先的に開始される伝送機能がベアラ分離機能であるかどうかを判定するように構成される第２の判定サブモジュールと、
基地局によって構成された優先的に開始される伝送機能がベアラ分離機能である場合、プライマリＲＬＣエンティティとセカンダリＲＬＣを引き続き使用してデータ伝送を行うように構成される第３の伝送サブモジュールと、
基地局によって構成された優先的に開始される伝送機能がベアラ分離機能ではない場合、ベアラ分離機能を有効にせずにセカンダリＲＬＣエンティティを再構築し、プライマリＲＬＣエンティティを使用してデータ伝送を行うように構成される第４の伝送サブモジュールと
を含む、請求項１０に記載の装置。
【請求項１２】
前記装置は、
基地局によって送信された第３の指示メッセージを受信するように構成される第３の受信モジュールであって、前記第３の指示メッセージは、ＰＤＣＰパケット複製機能に対する構成解除指示を特徴付けるためである、第３の受信モジュールと、
前記第３の指示情報にしたがって、前記ＲＢに対応する伝送機能がベアラ分離機能を含むどうかを判定するように構成される第３の判定モジュールと、
前記ＲＢに対応する伝送機能がベアラ分離機能を含む場合、プライマリＲＬＣエンティティとセカンダリＲＬＣを引き続き使用してデータ伝送を行い、ベアラ分離機能を有効にするように構成される第６の伝送モジュールと、
前記ＲＢに対応する伝送機能がベアラ分離機能を含まない場合、セカンダリＲＬＣエンティティを解放し、プライマリＲＬＣエンティティを使用してデータ伝送を行うように構成される第７の伝送モジュールと
をさらに含む、請求項６または請求項１０に記載の装置。
【請求項１３】
前記装置は、
基地局によって送信された第４の指示メッセージを受信するように構成される第４の受信モジュールであって、前記第２の指示メッセージは、ベアラ分離機能に対する構成解除指示を特徴付けるためである、第４の受信モジュールと、
前記ＲＢに対応する伝送機能がＰＤＣＰパケット複製機能とベアラ分離機能を含む場合、前記第４の指示メッセージにしたがってベアラ分離機能を停止するように構成される停止モジュールと
をさらに含む、請求項６または請求項１０に記載の装置。
【請求項１４】
前記装置は、
前記第４の指示メッセージにしたがってベアラ分離機能を停止した後、ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送するように構成される第８の伝送モジュールをさらに含む、請求項１３に記載の装置。
【発明の詳細な説明】
【技術分野】
【０００１】
本開示は、通信分野に関し、特に無線ベアラの指示方法及び装置に関する。
【背景技術】
【０００２】
関連技術では、ロングタームエボリューション（ＬＴＥ：Ｌｏｎｇ  Ｔｅｒｍ  Ｅｖｏｌｕｔｉｏｎ）システムにおける無線ベアラ（ＲＢ：Ｒａｄｉｏ  Ｂｅａｒｅｒ）は、無線論理リソースの集合体である。前記ＲＢは、ユーザ機器（ＵＥ：Ｕｓｅｒ  Ｅｑｕｉｐｍｅｎｔ）と基地局の間のベアラのセクションを指す。前記ＲＢは、ベアラの異なる内容にしたがって、シグナリングベアラ（ＳＲＢ：Ｓｉｇｎａｌｉｎｇ  Ｒａｄｉｏ  Ｂｅａｒｅｒ）とデータベアラ（ＤＲＢ：Ｄａｔａ  ＲａｄｉｏＢｅａｒｅｒ）に分ける。データパケットまたはシグナリングパケットの信頼性を解決するために、５Ｇシステムでは、既にユーザプレーンのデータパケット集約プロトコル（ＰＤＣＨ：ｐａｃｋｅｔ  ｄａｔａ  ｃｏｎｖｅｒｇｅｎｃｅ  ｐｒｏｔｏｃｏｌ）層でパケット複製方案が許可されている。
【０００３】
しかし、先行技術は、前記ユーザプレーンのＰＤＣＨ層のパケット複製方案をまだ実現することができない。
【発明の概要】
【発明が解決しようとする課題】
【０００４】
関連技術における問題を解決するために、本開示の実施例は、無線ベアラの指示方法及び装置を提供する。
【課題を解決するための手段】
【０００５】
本開示の実施例の第１の態様によれば、基地局に使用される無線ベアラの指示方法を提供し、前記方法は、
無線ベアラ（ＲＢ）に少なくとも１つの伝送機能を構成することと、
各前記伝送機能に共有される少なくとも２つの伝送エンティティを構成することと、
第１の情報を第１の指示メッセージに追加することであって、前記第１の指示メッセージは、前記伝送機能と前記伝送エンティティを特徴付けるためであることと、
前記端末が前記第１の指示メッセージにしたがって前記ＲＢに対応する伝送機能と伝送エンティティを設定するように、前記第１の指示メッセージを端末に送信することと、を含む。
【０００６】
ある実施例において、前記少なくとも２つの伝送エンティティは、プライマリ無線リンク制御（ＲＬＣ）エンティティおよびセカンダリＲＬＣエンティティを含む。
【０００７】
ある実施例において、前記少なくとも１つの伝送機能は、データパケット集約プロトコル（ＰＤＣＰ）パケット複製機能および／またはベアラ分離機能を含む。
【０００８】
ある実施例において、前記少なくとも１つの伝送機能はＰＤＣＰパケット複製機能のみを含み、
前記方法は、
ＰＤＣＰパケット複製機能の初期状態を構成することであって、前記初期状態は、活性状態または非活性（Ｉｎａｃｔｉｖｅ）状態であることと、
前記初期状態を特徴付けるための第２の情報を前記第１の指示メッセージに追加することと、をさらに含む。
【０００９】
ある実施例において、前記少なくとも１つの伝送機能はベアラ分離機能のみを含み、
前記方法は、
ベアラ分離のための指定された閾値と指定された伝送エンティティを構成することであって、前記指定された伝送エンティティは、プライマリＲＬＣエンティティまたはセカンダリＲＬＣエンティティであることと、
前記指定された閾値と指定された伝送エンティティを特徴付けるための第３の情報を、前記第１の指示メッセージに追加することと、を含む。
【００１０】
ある実施例において、前記少なくとも１つの伝送機能はＰＤＣＰパケット複製機能とベアラ分離機能を含み、
前記方法は、
前記ＰＤＣＰパケット複製機能の初期状態を構成することであって、前記初期状態は、活性状態または非活性状態であることと、
ベアラ分離ルール中の指定された閾値と指定された伝送エンティティを構成することであって、前記指定された伝送エンティティは、プライマリＲＬＣエンティティまたはセカンダリＲＬＣエンティティであることと、
優先的に開始される伝送機能を構成することであって、前記優先的に開始される伝送機能は、ＰＤＣＰパケット複製機能またはベアラ分離機能であることと、
第４の情報を前記第１の指示メッセージに追加することであって、前記第４の情報は、前記初期状態、前記指定された閾値と指定された伝送エンティティ、前記優先的に開始される伝送機能を特徴付けるためであることと、をさらに含む。
【００１１】
ある実施例において、前記方法は、
前記端末に第２の指示メッセージを送信することであって、前記第２の指示メッセージは、ＰＤＣＰパケット複製機能に対する失活（Ｄｅａｃｔｉｖａｔｉｏｎ）指示を特徴付けるためである。
【００１２】
ある実施例において、前記方法は、
前記端末に第３の指示メッセージを送信することであって、前記第３の指示メッセージは、ＰＤＣＰパケット複製機能に対する構成解除指示を特徴付けるためであることをさらに含む。
【００１３】
ある実施例において、前記方法は、
前記端末に第４の指示メッセージを送信することであって、前記第４の指示メッセージは、ベアラ分離機能に対する構成解除指示を特徴付けるためであることをさらに含む。
【００１４】
本開示の実施例の第２の態様によれば、端末に使用される無線ベアラの指示方法を提供し、前記方法は、
基地局によって送信された第１の指示メッセージを受信することであって、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためであることと、
前記第１の情報の少なくとも１つの伝送機能にしたがって、前記ＲＢに対応する伝送機能を設定することと、
前記第１の情報の少なくとも２つの伝送エンティティにしたがって、前記ＲＢに対応する伝送エンティティを設定することと、を含む。
【００１５】
ある実施例において、前記少なくとも２つの伝送エンティティは、プライマリ無線リンク制御（ＲＬＣ）エンティティおよびセカンダリＲＬＣエンティティを含む、
前記第１の情報の少なくとも２つの伝送エンティティにしたがって、前記ＲＢに対応する伝送エンティティを設定することは、
前記基地局によって構成されたプライマリＲＬＣエンティティとセカンダリＲＬＣエンティティを、前記ＲＢに対応する伝送エンティティとして設定することを含む。
【００１６】
ある実施例において、前記少なくとも１つの伝送機能はデータパケット集約プロトコル（ＰＤＣＰ）パケット複製機能および／またはベアラ分離機能を含み、
前記第１の情報の少なくとも１つの伝送機能にしたがって、前記ＲＢに対応する伝送機能を設定することは、
前記少なくとも１つの伝送機能がＰＤＣＰパケット複製機能のみを含む場合、前記ＲＢに対応する伝送機能をＰＤＣＰパケット複製機能に設定することと、
前記少なくとも１つの伝送機能がベアラ分離機能のみを含む場合、前記ＲＢに対応する伝送機能をベアラ分離機能に設定することと、
前記少なくとも１つの伝送機能がＰＤＣＰパケット複製機能とベアラ分離機能を含む場合、前記ＲＢに対応する伝送機能をＰＤＣＰパケット複製機能とベアラ分離機能に設定することと、を含む。
【００１７】
ある実施例において、前記ＲＢに対応する伝送機能をＰＤＣＰパケット複製機能に設定した後、
システムのデフォルトの初期状態をＰＤＣＰパケット複製機能の初期状態として設定することであって、前記システムのデフォルトの初期状態は、活性状態または非活性状態を含むことをさらに含む。
【００１８】
ある実施例において、前記第１の指示情報は第２の情報をさらに含み、前記第２の情報は、前記基地局によって構成されたＰＤＣＰパケット複製機能の初期状態を特徴付けるためであり、前記初期状態は、活性状態または非活性状態であり、
前記ＲＢに対応する伝送機能をＰＤＣＰパケット複製機能に設定した後、
前記基地局によって構成された前記初期状態をＰＤＣＰパケット複製機能の初期状態として設定することをさらに含む。
【００１９】
ある実施例において、前記第１の指示情報は第３の情報をさらに含み、前記第３の情報は、前記基地局によって構成されたベアラ分離のための指定された閾値と指定された伝送エンティティを特徴付けるためであり、前記指定された伝送エンティティは、プライマリＲＬＣエンティティまたはセカンダリＲＬＣエンティティであり、
前記ＲＢに対応する伝送機能をベアラ分離機能に設定した後、
前記基地局によって構成された前記指定された閾値と前記指定された伝送エンティティにしたがって、ベアラ分離機能に対応する第１のベアラ分離ルールを設定することであって、前記第１のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含むことと、
前記第１のベアラ分離ルールで指示された現在の伝送エンティティを使用して、データ伝送を行うことと、をさらに含む。
【００２０】
ある実施例において、前記第１の指示情報は第４の情報をさらに含み、前記第４の情報は、前記基地局によって構成された前記ＰＤＣＰパケット複製機能の初期状態、前記基地局によって構成されたベアラ分離のための指定された閾値と指定された伝送エンティティ、および前記基地局によって構成された優先的に開始される伝送機能を特徴づけるためであり、前記初期状態は、活性状態または非活性状態であり、前記指定された伝送エンティティは、プライマリＲＬＣエンティティまたはセカンダリＲＬＣエンティティであり、前記優先的に開始される伝送機能は、ＰＤＣＰパケット複製機能またはベアラ分離機能であり、
前記ＲＢに対応する伝送機能をＰＤＣＰパケット複製機能とベアラ分離機能に設定した後、
前記基地局によって構成された前記初期状態をＰＤＣＰパケット複製機能の初期状態として設定することと、
前記基地局によって構成された前記指定された閾値と前記指定された伝送エンティティにしたがって、ベアラ分離機能に対応する第２のベアラ分離ルールを設定することであって、前記第２のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含むことと、
設定されたＰＤＣＰパケット複製機能の初期状態が活性状態であるかどうかを判定することと、
初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信することと、
初期状態が非活性状態であると決定された場合、前記第２のベアラ分離ルールに指示された現在の伝送エンティティを使用してデータ伝送を行い、または、プライマリＲＬＣエンティティを使用してデータ伝送を行って、セカンダリＲＬＣエンティティに既に送信されたデータは、セカンダリＲＬＣエンティティを介して引き続き伝送を行うこととをさらに含む。
【００２１】
ある実施例において、前記第２のベアラ分離ルールに指示された現在の伝送エンティティを使用してデータ伝送を行い、または、プライマリＲＬＣエンティティを使用してデータ伝送を行って、セカンダリＲＬＣエンティティに既に送信されたデータは、セカンダリＲＬＣエンティティを介して引き続き伝送を行うことは、
前記基地局によって構成された優先的に開始される伝送機能がベアラ分離機能であるかどうかを判定することと、
前記基地局によって構成された優先的に開始される伝送機能がベアラ分離機能であると判定した場合、前記第２のベアラ分離ルールに指示された現在の伝送エンティティを使用してデータ伝送を行うことと、
前記基地局によって構成された優先的に開始される伝送機能がベアラ分離機能でないと判定した場合、プライマリＲＬＣエンティティを使用してデータ伝送を行って、セカンダリＲＬＣエンティティに既に送信されたデータは、セカンダリＲＬＣエンティティを介して引き続き伝送を行うことと、を含む。
【００２２】
ある実施例において、前記方法は、
基地局によって送信された第２の指示メッセージを受信することであって、前記第２の指示メッセージは、ＰＤＣＰパケット複製機能に対する失活指示を特徴付けるためであることと、
前記ＲＢに対応する伝送機能はＰＤＣＰパケット複製機能を含み、且つ前記ＰＤＣＰパケット複製機能が活性状態にある場合、前記第２の指示情報にしたがって、前記ＲＢに対応する伝送機能がベアラ分離機能を含むかどうかを判定することと、
前記ＲＢに対応する伝送機能がベアラ分離機能を含むと判定した場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行うことと、
前記ＲＢに対応する伝送機能がベアラ分離機能を含まないと判定した場合、セカンダリＲＬＣエンティティを再構築し、プライマリＲＬＣエンティティを使用してデータ伝送を行うことと、を含む。
【００２３】
ある実施例において、前記プライマリＲＬＣエンティティとセカンダリＲＬＣを引き続き使用してデータ伝送を行って、ベアラ分離機能を有効にし、または、ベアラ分離機能を有効にせずにプライマリＲＬＣエンティティを介してＰＤＣＰパケットを伝送することは、
前記基地局によって構成された優先的に開始される伝送機能がベアラ分離機能であるかどうかを判定することと、
前記基地局によって構成された優先的に開始される伝送機能がベアラ分離機能であると判定した場合、プライマリＲＬＣエンティティとセカンダリＲＬＣを引き続き使用してデータ伝送を行うことと、
前記基地局によって構成された優先的に開始される伝送機能がベアラ分離機能でないと判定した場合、ベアラ分離機能を有効にせずにセカンダリＲＬＣエンティティを再構築し、プライマリＲＬＣエンティティを使用してデータ伝送を行うことと、を含む。
【００２４】
ある実施例において、前記方法は、
基地局によって送信された第３の指示メッセージを受信することであって、前記第３の指示メッセージは、ＰＤＣＰパケット複製機能に対する構成解除指示を特徴付けるためであることと、
前記第３の指示情報にしたがって、前記ＲＢに対応する伝送機能がベアラ分離機能を含むどうかを判定することと、
前記ＲＢに対応する伝送機能がベアラ分離機能を含むと判定した場合、プライマリＲＬＣエンティティとセカンダリＲＬＣを引き続き使用してデータ伝送を行い、ベアラ分離機能を有効にすることと、
前記ＲＢに対応する伝送機能がベアラ分離機能を含まないと判定した場合、セカンダリＲＬＣエンティティを解放し、プライマリＲＬＣエンティティを使用してデータ伝送を行うことと、をさらに含む。
【００２５】
ある実施例において、前記方法は、
基地局によって送信された第４の指示メッセージを受信することであって、前記第４の指示メッセージは、ベアラ分離機能に対する構成解除指示を特徴付けるためであることと、
前記ＲＢに対応する伝送機能がＰＤＣＰパケット複製機能とベアラ分離機能を含む場合、前記第４の指示メッセージにしたがってベアラ分離機能を停止することとをさらに含む。
【００２６】
ある実施例において、前記第４の指示メッセージにしたがってベアラ分離機能を停止した後、
ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送することをさらに含む。
【００２７】
本開示の実施例の第３の態様によれば、基地局に使用される無線ベアラの指示装置を提供し、前記装置は、
無線ベアラ（ＲＢ）に少なくとも１つの伝送機能を構成するように構成される第１の構成モジュールと、
各前記伝送機能に共有される少なくとも２つの伝送エンティティを構成するように構成される第２の構成モジュールと、
第１の情報を第１の指示メッセージに追加するように構成される第１の追加モジュールであって、前記第１の指示メッセージは、前記伝送機能と前記伝送エンティティを特徴付けるためである、第１の追加モジュールと、
前記端末が前記第１の指示メッセージにしたがって前記ＲＢに対応する伝送機能と伝送エンティティを設定するように、前記第１の指示メッセージを端末に送信するように構成される第１の送信モジュールと、を含む。
【００２８】
ある実施例において、前記少なくとも２つの伝送エンティティは、プライマリ無線リンク制御（ＲＬＣ）エンティティおよびセカンダリＲＬＣエンティティを含む。
【００２９】
ある実施例において、前記少なくとも１つの伝送機能は、データパケット集約プロトコル（ＰＤＣＰ）パケット複製機能および／またはベアラ分離機能を含む。
【００３０】
ある実施例において、前記少なくとも１つの伝送機能はＰＤＣＰパケット複製機能のみを含み、前記装置は、さらに、
ＰＤＣＰパケット複製機能の初期状態を構成するように構成される第３の構成モジュールであって、前記初期状態は、活性状態または非活性状態である、第３の構成モジュールと、
前記初期状態を特徴付けるための第２の情報を前記第１の指示メッセージに追加するように構成される第２の追加モジュールと、を含む。
【００３１】
ある実施例において、前記少なくとも１つの伝送機能はベアラ分離機能のみを含み、前記装置は、さらに、
ベアラ分離のための指定された閾値と指定された伝送エンティティを構成するように構成される第４の構成モジュールであって、前記指定された伝送エンティティは、プライマリＲＬＣエンティティまたはセカンダリＲＬＣエンティティである、第４の構成モジュールと、
前記指定された閾値と指定された伝送エンティティを特徴付けるための第３の情報を、前記第１の指示メッセージに追加するように構成される第３の追加モジュールと、を含む。
【００３２】
ある実施例において、前記少なくとも１つの伝送機能はＰＤＣＰパケット複製機能とベアラ分離機能を含み、前記装置は、さらに、
前記ＰＤＣＰパケット複製機能の初期状態を構成するように構成される第５の構成モジュールであって、前記初期状態は、活性状態または非活性状態である、第５の構成モジュールと、
ベアラ分離ルール中の指定された閾値と指定された伝送エンティティを構成するように構成される第６の構成モジュールであって、前記指定された伝送エンティティは、プライマリＲＬＣエンティティまたはセカンダリＲＬＣエンティティである、第６の構成モジュールと、
優先的に開始される伝送機能を構成するように構成される第７の構成モジュールであって、前記優先的に開始される伝送機能は、ＰＤＣＰパケット複製機能またはベアラ分離機能である、第７の構成モジュールと、
第４の情報を前記第１の指示メッセージに追加するように構成される第４の追加モジュールであって、前記第４の情報は、前記初期状態、前記指定された閾値と指定された伝送エンティティ、前記優先的に開始される伝送機能を特徴付けるためである、第４の追加モジュールと、を含む。
【００３３】
ある実施例において、前記装置は、さらに、
前記端末に第２の指示メッセージを送信するように構成される第２の送信モジュールであって、前記第２の指示メッセージは、ＰＤＣＰパケット複製機能に対する失活指示を特徴付けるためである、第２の送信モジュールを含む。
【００３４】
ある実施例において、前記装置は、さらに、
前記端末に第３の指示メッセージを送信するように構成される第３の送信モジュールであって、前記第３の指示メッセージは、ＰＤＣＰパケット複製機能に対する構成解除指示を特徴付けるためである、第３の送信モジュールを含む。
【００３５】
ある実施例において、前記装置は、さらに、
前記端末に第４の指示メッセージを送信するように構成される第４の送信モジュールであって、前記第４の指示メッセージは、ベアラ分離機能に対する構成解除指示を特徴付けるためである、第４の送信モジュールを含む。
【００３６】
本開示の実施例の第４の態様によれば、端末に使用される無線ベアラの指示装置を提供し、前記装置は、
基地局によって送信された第１の指示メッセージを受信するように構成される第１の受信モジュールであって、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためである、第１の受信モジュールと、
前記第１の情報の少なくとも１つの伝送機能にしたがって、前記ＲＢに対応する伝送機能を設定するように構成される第１の設定モジュールと、
前記第１の情報の少なくとも２つの伝送エンティティにしたがって、前記ＲＢに対応する伝送エンティティを設定するように構成される第２の設定モジュールと、を含む。
【００３７】
ある実施例において、前記少なくとも２つの伝送エンティティは、プライマリ無線リンク制御（ＲＬＣ）エンティティおよびセカンダリＲＬＣエンティティを含む、
前記第２の設定モジュールは、
前記基地局によって構成されたプライマリＲＬＣエンティティとセカンダリＲＬＣエンティティを、前記ＲＢに対応する伝送エンティティとして設定するように構成される第１の設定サブモジュールを含む。
【００３８】
ある実施例において、前記少なくとも１つの伝送機能はデータパケット集約プロトコル（ＰＤＣＰ）パケット複製機能および／またはベアラ分離機能を含み、
前記第１の設定モジュールは、
前記少なくとも１つの伝送機能がＰＤＣＰパケット複製機能のみを含む場合、前記ＲＢに対応する伝送機能をＰＤＣＰパケット複製機能に設定するように構成される第２の設定サブモジュールと、
前記少なくとも１つの伝送機能がベアラ分離機能のみを含む場合、前記ＲＢに対応する伝送機能をベアラ分離機能に設定するように構成される第３の設定サブモジュールと、
前記少なくとも１つの伝送機能がＰＤＣＰパケット複製機能とベアラ分離機能を含む場合、前記ＲＢに対応する伝送機能をＰＤＣＰパケット複製機能とベアラ分離機能に設定するように構成される第４の設定サブモジュールと、を含む。
【００３９】
ある実施例において、前記装置は、さらに、
前記ＲＢに対応する伝送機能をＰＤＣＰパケット複製機能に設定した後、システムのデフォルトの初期状態をＰＤＣＰパケット複製機能の初期状態として設定するように構成される第３の設定モジュールであって、前記システムのデフォルトの初期状態は、活性状態または非活性状態を含む、第３の設定モジュールを含む。
【００４０】
ある実施例において、前記第１の指示情報は第２の情報をさらに含み、前記第２の情報は、前記基地局によって構成されたＰＤＣＰパケット複製機能の初期状態を特徴付けるためであり、前記初期状態は、活性状態または非活性状態であり、
前記装置は、さらに、
前記ＲＢに対応する伝送機能をＰＤＣＰパケット複製機能に設定した後、前記基地局によって構成された前記初期状態をＰＤＣＰパケット複製機能の初期状態として設定するように構成される第４の設定モジュールを含む。
【００４１】
ある実施例において、前記第１の指示情報は第３の情報をさらに含み、前記第３の情報は、前記基地局によって構成されたベアラ分離のための指定された閾値と指定された伝送エンティティを特徴付けるためであり、前記指定された伝送エンティティは、プライマリＲＬＣエンティティまたはセカンダリＲＬＣエンティティであり、
前記装置は、さらに、
前記ＲＢに対応する伝送機能をベアラ分離機能に設定した後、前記基地局によって構成された前記指定された閾値と前記指定された伝送エンティティにしたがって、ベアラ分離機能に対応する第１のベアラ分離ルールを設定するように構成される第５の設定モジュールであって、前記第１のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第５の設定モジュールと、
前記第１のベアラ分離ルールで指示された現在の伝送エンティティを使用して、データ伝送を行うように構成される第１の伝送モジュールと、を含む。
【００４２】
ある実施例において、前記第１の指示情報は第４の情報をさらに含み、前記第４の情報は、前記基地局によって構成された前記ＰＤＣＰパケット複製機能の初期状態、前記基地局によって構成されたベアラ分離のための指定された閾値と指定された伝送エンティティ、および前記基地局によって構成された優先的に開始される伝送機能を特徴づけるためであり、前記初期状態は、活性状態または非活性状態であり、前記指定された伝送エンティティは、プライマリＲＬＣエンティティまたはセカンダリＲＬＣエンティティであり、前記優先的に開始される伝送機能は、ＰＤＣＰパケット複製機能またはベアラ分離機能であり、
前記装置は、さらに、
前記ＲＢに対応する伝送機能をＰＤＣＰパケット複製機能とベアラ分離機能に設定した後、前記基地局によって構成された前記初期状態をＰＤＣＰパケット複製機能の初期状態として設定するように構成される第６の設定モジュールと、
前記基地局によって構成された前記指定された閾値と前記指定された伝送エンティティにしたがって、ベアラ分離機能に対応する第２のベアラ分離ルールを設定するように構成される第７の設定モジュールであって、前記第２のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第７の設定モジュールと、
設定されたＰＤＣＰパケット複製機能の初期状態が活性状態であるかどうかを判定するように構成される第１の判定モジュールと、
初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信するように構成される第２の伝送モジュールと、
初期状態が非活性状態であると決定された場合、前記第２のベアラ分離ルールに指示された現在の伝送エンティティを使用してデータ伝送を行い、または、プライマリＲＬＣエンティティを使用してデータ伝送を行って、セカンダリＲＬＣエンティティに既に送信されたデータは、セカンダリＲＬＣエンティティを介して引き続き伝送を行うように構成される第３の伝送モジュールとを含む。
【００４３】
ある実施例において、前記第３の伝送モジュールは、
前記基地局によって構成された優先的に開始される伝送機能がベアラ分離機能であるかどうかを判定するように構成される第１の判定サブモジュールと、
前記基地局によって構成された優先的に開始される伝送機能がベアラ分離機能である場合、前記第２のベアラ分離ルールに指示された現在の伝送エンティティを使用してデータ伝送を行うように構成される第１の伝送サブモジュールと、
前記基地局によって構成された優先的に開始される伝送機能がベアラ分離機能ではない場合、プライマリＲＬＣエンティティを使用してデータ伝送を行って、セカンダリＲＬＣエンティティに既に送信されたデータは、セカンダリＲＬＣエンティティを介して引き続き伝送を行うように構成される第２の伝送サブモジュールと、を含む。
【００４４】
ある実施例において、前記装置は、さらに、
基地局によって送信された第２の指示メッセージを受信するように構成される第２の受信モジュールであって、前記第２の指示メッセージは、ＰＤＣＰパケット複製機能に対する失活指示を特徴付けるためである、第２の受信モジュールと、
前記ＲＢに対応する伝送機能はＰＤＣＰパケット複製機能を含み、且つ前記ＰＤＣＰパケット複製機能が活性状態にある場合、前記第２の指示情報にしたがって、前記ＲＢに対応する伝送機能がベアラ分離機能を含むかどうかを判定するように構成される第２の判定モジュールと、
前記ＲＢに対応する伝送機能がベアラ分離機能を含む場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行うように構成される第４の伝送モジュールと、
前記ＲＢに対応する伝送機能がベアラ分離機能を含まない場合、セカンダリＲＬＣエンティティを再構築し、プライマリＲＬＣエンティティを使用してデータ伝送を行うように構成される第５の伝送モジュールと、を含む。
【００４５】
ある実施例において、前記第４の伝送モジュールは、
前記基地局によって構成された優先的に開始される伝送機能がベアラ分離機能であるかどうかを判定するように構成される第２の判定サブモジュールと、
基地局によって構成された優先的に開始される伝送機能がベアラ分離機能である場合、プライマリＲＬＣエンティティとセカンダリＲＬＣを引き続き使用してデータ伝送を行うように構成される第３の伝送サブモジュールと、
基地局によって構成された優先的に開始される伝送機能がベアラ分離機能ではない場合、ベアラ分離機能を有効にせずにセカンダリＲＬＣエンティティを再構築し、プライマリＲＬＣエンティティを使用してデータ伝送を行うように構成される第４の伝送サブモジュールと、を含む。
【００４６】
ある実施例において、前記装置は、さらに、
基地局によって送信された第３の指示メッセージを受信するように構成される第３の受信モジュールであって、前記第３の指示メッセージは、ＰＤＣＰパケット複製機能に対する構成解除指示を特徴付けるためである、第３の受信モジュールと、
前記第３の指示情報にしたがって、前記ＲＢに対応する伝送機能がベアラ分離機能を含むどうかを判定するように構成される第３の判定モジュールと、
前記ＲＢに対応する伝送機能がベアラ分離機能を含む場合、プライマリＲＬＣエンティティとセカンダリＲＬＣを引き続き使用してデータ伝送を行い、ベアラ分離機能を有効にするように構成される第６の伝送モジュールと、
前記ＲＢに対応する伝送機能がベアラ分離機能を含まない場合、セカンダリＲＬＣエンティティを解放し、プライマリＲＬＣエンティティを使用してデータ伝送を行うように構成される第７の伝送モジュールと、を含む。
【００４７】
ある実施例において、前記装置は、さらに、
基地局によって送信された第４の指示メッセージを受信するように構成される第４の受信モジュールであって、前記第２の指示メッセージは、ベアラ分離機能に対する構成解除指示を特徴付けるためである、第４の受信モジュールと、
前記ＲＢに対応する伝送機能がＰＤＣＰパケット複製機能とベアラ分離機能を含む場合、前記第４の指示メッセージにしたがってベアラ分離機能を停止するように構成される停止モジュールと、を含む。
【００４８】
ある実施例において、前記装置は、さらに、
前記第４の指示メッセージにしたがってベアラ分離機能を停止した後、ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送するように構成される第８の伝送モジュールを含む。
【００４９】
本開示の実施例の第５の態様によれば、コンピュータプログラムが記憶される非一時的なコンピュータ読み取り可能な記憶媒体を提供し、前記コンピュータプログラムは、前記第１の態様の無線ベアラの指示方法を実行するためである。
【００５０】
本開示の実施例の第６の態様によれば、コンピュータプログラムが記憶される非一時的なコンピュータ読み取り可能な記憶媒体を提供し、前記コンピュータプログラムは、前記第２の態様の無線ベアラの指示方法を実行するためである。
【００５１】
本開示の実施例の第７の態様によれば、基地局に使用される無線ベアラの指示装置を提供し、前記装置は、
プロセッサと、
プロセッサ実行可能な命令を格納するためのメモリと、を含み、
前記プロセッサは、
無線ベアラ（ＲＢ）に少なくとも１つの伝送機能を構成することと、
各前記伝送機能に共有される少なくとも２つの伝送エンティティを構成し、
第１の情報を第１の指示メッセージに追加することであって、前記第１の指示メッセージは、前記伝送機能と前記伝送エンティティを特徴付けるためであり、
前記端末が前記第１の指示メッセージにしたがって前記ＲＢに対応する伝送機能と伝送エンティティを設定するように、前記第１の指示メッセージを端末に送信するように構成される。
【００５２】
本開示の実施例の第８の態様によれば、端末に使用される無線ベアラの指示装置を提供し、前記装置は、
プロセッサと、
プロセッサ実行可能な命令を格納するためのメモリと、を含み、
前記プロセッサは、
基地局によって送信された第１の指示メッセージを受信し、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためであり、
前記第１の情報の少なくとも１つの伝送機能にしたがって、前記ＲＢに対応する伝送機能を設定し、
前記第１の情報の少なくとも２つの伝送エンティティにしたがって、前記ＲＢに対応する伝送エンティティを設定するように構成される。
【発明の効果】
【００５３】
本開示の実施例によって提供される技術的解決策は、以下の有益な効果を含み得る。
【００５４】
本開示の実施例において、基地局は、ＲＢに対して少なくとも１つの伝送機能を構成することにより、各伝送機能に共有される少なくとも２つの伝送エンティティを構成し、基地局が無線ベアラ（ＲＢ）に構成した少なくとも１つの伝送機能と少なくとも２つの伝送エンティティを特徴付けるための第１の情報を第１の指示メッセージに追加し、第１の指示メッセージを端末に送信して、端末が前記第１の指示メッセージにしたがってＲＢに対応する伝送機能と伝送エンティティを設定することができるようにする。それにより、同じＲＢに対して少なくとも２つの共有の伝送エンティティを使用することで、１つまたは複数の伝送機能を実現し、無線ベアラの指示効率を向上させることができる。
【００５５】
本開示の実施例において、基地局は、さらに、ＲＢに対してＰＤＣＰパケット複製機能および／またはベアラ分離機能を構成することにより、基地局の構成にしたがって、端末が前記ＲＢに対して対応するＰＤＣＰパケット複製機能および／またはベアラ分離機能を設定することができ、それにより、ＲＢの伝送機能、特に、ＰＤＣＰパケット複製機能を豊富にし、データパケットまたはシグナリングバケットの信頼性を向上させる。
【００５６】
本開示の実施例において、基地局は、さらに、ＲＢに対してプライマリＲＬＣエンティティとセカンダリＲＬＣエンティティを構成することにより、基地局の構成にしたがって、端末が前記ＲＢに対してプライマリＲＬＣエンティティとセカンダリＲＬＣエンティティを設定して、端末が１つのＲＬＣエンティティのみを設定するため、基地局がＲＢに構成した伝送機能、特に、ＰＤＣＰパケット複製機能を実現することができないことを防止することができ、ＰＤＣＰパケットとＰＤＣＰ複製パケットが両方とも同じＲＬＣエンティティで伝送されると、即ち、ＰＤＣＰパケットとＰＤＣＰ複製パケットが同じキャリアで送信されると、同じキャリアでの信号品質が非常に悪いため、ＰＤＣＰ複製パケットが前記キャリアでまだ送信される場合に、送信が成功する確率が非常に低くなり、データパケットまたはシグナリングパケットの信頼性を向上させる目的を達成することができない問題を引き起こす。
【００５７】
本開示の実施例において、基地局は、さらに、活性状態または非活性状態である、ＰＤＣＰパケット複製機能の初期状態を構成することにより、端末が基地局の構成にしたがって、同じ初期状態を設定することができて、基地局は、ＰＤＣＰパケット複製機能を活性化するかどうかを柔軟に把握することができ、それにより、基地局がＰＤＣＰパケット複製機能に対する初期状態の制御を実現し、無線ベアラ指示の信頼性を向上させることができる。
【００５８】
本開示の実施例において、基地局は、さらに、指定された閾値と指定された伝送エンティティを構成することにより、端末が基地局の構成にしたがって、対応するベアラ分離ルールを設定し、対応するベアラ分離ルールを使用してデータ伝送を行うことができる。こうして、データ伝送の効率を確保し、さらに各伝送エンティティの使用率も改善することができる。
【００５９】
本開示の実施例において、基地局は、さらに、活性状態または非活性状態である、ＰＤＣＰパケット複製機能の初期状態を構成することにより、ベアラ分離のための指定された閾値と、プライマリＲＬＣエンティティまたはセカンダリＲＬＣエンティティである指定された伝送エンティティとを構成し、ＰＤＣＰパケット複製機能またはベアラ分離機能である優先的に開始される伝送機能を構成することにより、端末が基地局の構成にしたがって、対応する設定を行うことができ、ＰＤＣＰパケット複製機能とベアラ分離機能に対する２つの状況で初期状態が異なり、優先的に開始される伝送機能が異なり、端末の使用する伝送方式も異なって、こうして、基地局は、前記構成によって端末のデータ伝送方式を間接的に制御し、それにより、無線ベアラ伝送の信頼性を向上させることができる。
【００６０】
本開示の実施例において、基地局は、さらに、ＰＤＣＰパケット複製機能に対する失活指示を特徴付けるための第２の指示メッセージを端末に送信することにより、基地局のＰＤＣＰパケット複製機能に対する失活を実現し、無線ベアラ指示の信頼性を向上させることができる。
【００６１】
本開示の実施例において、基地局は、さらに、ＰＤＣＰパケット複製機能に対する構成解除指示を特徴付けるための第３の指示メッセージを端末に送信することにより、基地局のＰＤＣＰパケット複製機能に対する構成解除を実現し、無線ベアラ指示の信頼性を向上させることができる。
【００６２】
本開示の実施例において、基地局は、さらに、端末にベアラ分離機能に対する構成解除指示を特徴付けるための第４の指示メッセージを送信することにより、基地局のベアラ分離機能に対する構成解除を実現し、無線ベアラ指示の信頼性を向上させることができる。
【００６３】
本開示の実施例において、端末は、基地局がＲＢに構成した少なくとも１つの伝送機能と少なくとも２つの伝送エンティティを特徴付けるための第１の情報を含む、基地局によって送信された第１の指示メッセージを受信することにより、第１の情報のうちの少なくとも１つの伝送機能にしたがってＲＢに対応する伝送機能を設定し、それにより、同じＲＢに対して少なくとも２つの共有の伝送エンティティを使用することで、１つまたは複数の伝送機能を実現し、無線ベアラの指示効率を向上させることができる。
【００６４】
本開示の実施例において、端末は、さらに、基地局の構成にしたがって、前記ＲＢにプライマリＲＬＣエンティティとセカンダリＲＬＣエンティティを設定することにより、端末が１つのＲＬＣエンティティのみを設定するため、基地局がＲＢに構成した伝送機能、特に、ＰＤＣＰパケット複製機能を実現することができないことを防止することができ、ＰＤＣＰパケットとＰＤＣＰ複製パケットが両方とも同じＲＬＣエンティティで伝送されると、即ち、ＰＤＣＰパケットとＰＤＣＰ複製パケットが同じキャリアで送信されると、同じキャリアでの信号品質が非常に悪いため、ＰＤＣＰ複製パケットが前記キャリアでまだ送信される場合に、送信が成功する確率が非常に低くなり、データパケットまたはシグナリングパケットの信頼性を向上させる目的を達成することができない問題を引き起こす。
【００６５】
本開示の実施例において、端末は、さらに、基地局の構成にしたがって前記ＲＢのために対応するＰＤＣＰパケット複製機能および／またはベアラ分離機能を設定することにより、ＲＢの伝送機能、特に、ＰＤＣＰパケット複製機能を豊富にし、データパケットまたはシグナリングパケットの信頼性を向上させることができる。
【００６６】
本開示の実施例において、端末は、さらに、基地局の構成にしたがって同じ初期状態を設定することにより、基地局は、ＰＤＣＰパケット複製機能を活性化するかどうかを柔軟に把握することができ、それにより、基地局がＰＤＣＰパケット複製機能に対する初期状態の制御を実現し、無線ベアラ指示の信頼性を向上させることができる。
【００６７】
本開示の実施例において、端末は、さらに、基地局の構成にしたがって対応するベアラ分離ルールを設定し、対応するベアラ分離ルールを使用してデータ伝送を行うことにより、データ伝送の効率を確保し、さらに各伝送エンティティの使用率も改善することができる。
【００６８】
本開示の実施例において、端末は、さらに、基地局の構成にしたがって対応する設定を行うことにより、ＰＤＣＰパケット複製機能とベアラ分離機能に対する２つの状況で、初期状態が異なり、使用する伝送方式も異なって、こうして、基地局は、前記構成によって端末のデータ伝送方式を間接的に制御し、それにより、無線ベアラ伝送の信頼性を向上させることができる。
【００６９】
本開示の実施例において、端末は、さらに、基地局によって構成された優先的に開始される伝送機能がベアラ分離機能であるかどうかを判定し、そうである場合、前記第２のベアラ分離ルールに指示された現在の伝送エンティティを使用してデータ伝送を行い、そうではない場合、プライマリＲＬＣエンティティを使用してデータ伝送を行い、こうして、基地局は、前記構成によって端末のデータ伝送方式を間接的に制御し、無線ベアラ伝送の信頼性を向上させることができる。
【００７０】
本開示の実施例において、端末が、基地局によって送信されたＰＤＣＰパケット複製機能の失活指示を受信した後、ＲＢに対応する伝送機能がベアラ分離機能を含むかどうかを判定し、そうである場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行い、そうではない場合、セカンダリＲＬＣエンティティを再構築し、プライマリＲＬＣエンティティを使用してデータ伝送を行い、それにより、ＰＤＣＰパケット複製機能の失活後にもベアラ分離機能に切り替えるか、他の方式を使用してデータ伝送を行うことを確保して、無線ベアラ伝送の信頼性を向上させる。
【００７１】
本開示の実施例において、端末は、さらに、基地局によって構成された優先的に開始される伝送機能がベアラ分離機能であるかどうかを判定することにより、そうである場合、プライマリＲＬＣエンティティとセカンダリＲＬＣを引き続き使用してデータ伝送を行い、そうではない場合、ベアラ分離機能を有効にせずにセカンダリＲＬＣエンティティを再構築し、プライマリＲＬＣエンティティを使用してデータ伝送を行い、こうして、ＰＤＣＰパケット複製機能の失活後にもデータ伝送の円滑性を確保し、無線ベアラ伝送の信頼性を向上させる。
【００７２】
本開示の実施例において、端末が、基地局によって送信されたＰＤＣＰパケット複製機能の構成解除指示を受信した後、ＲＢに対応する伝送機能がベアラ分離機能を含むかどうかを判定し、そうである場合、プライマリＲＬＣエンティティとセカンダリＲＬＣを引き続き使用してデータ伝送を行い、ベアラ分離機能を有効にし、そうではない場合、セカンダリＲＬＣエンティティを解放し、プライマリＲＬＣエンティティを使用してデータ伝送を行い、それにより、ＰＤＣＰパケット複製機能の構成解除後にもベアラ分離機能に切り替えるか、他の方式を使用してデータ伝送を行うことを確保して、無線ベアラ伝送の信頼性を向上させる。
【００７３】
本開示の実施例において、端末が、基地局によって送信されたベアラ分離機能の構成解除指示を受信した後、ＲＢに対応する伝送機能がＰＤＣＰパケット複製機能とベアラ分離機能を含む場合、ベアラ分離機能を停止し、ＰＤＣＰパケット複製機能が不活性状態である場合、プライマリＲＬＣエンティティを介してデータを伝送し、または、セカンダリＲＬＣエンティティを再構築し、プライマリＲＬＣエンティティを介して引き続きデータを伝送し、それにより、ベアラ分離機能の構成解除後にも、ＰＤＣＰパケット複製機能の実現を確保することができ、無線ベアラ伝送の信頼性を向上させる。
【００７４】
上記した一般的な説明と以下の詳細な説明は、単なる例示および説明であり、本開示を限定するものではないことを理解されたい。
本願明細書は、例えば、以下の項目も提供する。
（項目１）
基地局に使用される無線ベアラの指示方法であって、
無線ベアラ（ＲＢ）に少なくとも１つの伝送機能を構成することと、
各前記伝送機能に共有される少なくとも２つの伝送エンティティを構成することと、
第１の情報を第１の指示メッセージに追加することであって、前記第１の指示メッセージは、前記伝送機能と前記伝送エンティティを特徴付けるためであることと、
前記端末が前記第１の指示メッセージにしたがって前記ＲＢに対応する伝送機能と伝送エンティティを設定するように、前記第１の指示メッセージを端末に送信することと、を含む、前記無線ベアラの指示方法。
（項目２）
前記少なくとも２つの伝送エンティティは、プライマリ無線リンク制御（ＲＬＣ）エンティティおよびセカンダリＲＬＣエンティティを含む、
項目１に記載の方法。
（項目３）
前記少なくとも１つの伝送機能は、データパケット集約プロトコル（ＰＤＣＰ）パケット複製機能および／またはベアラ分離機能を含む、
項目１または２に記載の方法。
（項目４）
前記少なくとも１つの伝送機能はＰＤＣＰパケット複製機能のみを含み、
前記方法は、
ＰＤＣＰパケット複製機能の初期状態を構成することであって、前記初期状態は、活性状態または非活性状態であることと、
前記初期状態を特徴付けるための第２の情報を前記第１の指示メッセージに追加することと、をさらに含む、
項目３に記載の方法。
（項目５）
前記少なくとも１つの伝送機能はベアラ分離機能のみを含み、
前記方法は、
ベアラ分離のための指定された閾値と指定された伝送エンティティを構成することであって、前記指定された伝送エンティティは、プライマリＲＬＣエンティティまたはセカンダリＲＬＣエンティティであることと、
前記指定された閾値と指定された伝送エンティティを特徴付けるための第３の情報を、前記第１の指示メッセージに追加することと、をさらに含む、
項目３に記載の方法。
（項目６）
前記少なくとも１つの伝送機能はＰＤＣＰパケット複製機能とベアラ分離機能を含み、
前記方法は、
前記ＰＤＣＰパケット複製機能の初期状態を構成することであって、前記初期状態は、活性状態または非活性状態であることと、
ベアラ分離ルール中の指定された閾値と指定された伝送エンティティを構成することであって、前記指定された伝送エンティティは、プライマリＲＬＣエンティティまたはセカンダリＲＬＣエンティティであることと、
優先的に開始される伝送機能を構成することであって、前記優先的に開始される伝送機能は、ＰＤＣＰパケット複製機能またはベアラ分離機能であることと、
第４の情報を前記第１の指示メッセージに追加することであって、前記第４の情報は、前記初期状態、前記指定された閾値と指定された伝送エンティティ、前記優先的に開始される伝送機能を特徴付けるためであることと、をさらに含む、
項目３に記載の方法。
（項目７）
前記方法は、
前記端末に第２の指示メッセージを送信することであって、前記第２の指示メッセージは、ＰＤＣＰパケット複製機能に対する失活指示を特徴付けるためであることをさらに含む、
項目１に記載の方法。
（項目８）
前記方法は、
前記端末に第３の指示メッセージを送信することであって、前記第３の指示メッセージは、ＰＤＣＰパケット複製機能に対する構成解除指示を特徴付けるためであることをさらに含む、
項目１に記載の方法。
（項目９）
前記方法は、
前記端末に第４の指示メッセージを送信することであって、前記第４の指示メッセージは、ベアラ分離機能に対する構成解除指示を特徴付けるためであることをさらに含む、
項目１に記載の方法。
（項目１０）
端末に使用される無線ベアラの指示方法であって、
基地局によって送信された第１の指示メッセージを受信することであって、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためであることと、
前記第１の情報の少なくとも１つの伝送機能にしたがって、前記ＲＢに対応する伝送機能を設定することと、
前記第１の情報の少なくとも２つの伝送エンティティにしたがって、前記ＲＢに対応する伝送エンティティを設定することと、を含む、前記無線ベアラの指示方法。
（項目１１）
前記少なくとも２つの伝送エンティティは、プライマリ無線リンク制御（ＲＬＣ）エンティティおよびセカンダリＲＬＣエンティティを含み、
前記第１の情報の少なくとも２つの伝送エンティティにしたがって、前記ＲＢに対応する伝送エンティティを設定することは、
前記基地局によって構成されたプライマリＲＬＣエンティティとセカンダリＲＬＣエンティティを、前記ＲＢに対応する伝送エンティティとして設定することを含む、
項目１０に記載の方法。
（項目１２）
前記少なくとも１つの伝送機能はデータパケット集約プロトコル（ＰＤＣＰ）パケット複製機能、および／またはベアラ分離機能を含み、
前記第１の情報の少なくとも１つの伝送機能にしたがって、前記ＲＢに対応する伝送機能を設定することは、
前記少なくとも１つの伝送機能がＰＤＣＰパケット複製機能のみを含む場合、前記ＲＢに対応する伝送機能をＰＤＣＰパケット複製機能に設定することと、
前記少なくとも１つの伝送機能がベアラ分離機能のみを含む場合、前記ＲＢに対応する伝送機能をベアラ分離機能に設定することと、
前記少なくとも１つの伝送機能がＰＤＣＰパケット複製機能とベアラ分離機能を含む場合、前記ＲＢに対応する伝送機能をＰＤＣＰパケット複製機能とベアラ分離機能に設定することと、を含む、
項目１０または１１に記載の方法。
（項目１３）
前記ＲＢに対応する伝送機能をＰＤＣＰパケット複製機能に設定した後、
システムのデフォルトの初期状態をＰＤＣＰパケット複製機能の初期状態として設定することであって、前記システムのデフォルトの初期状態は、活性状態または非活性状態を含むことをさらに含む、
項目１２に記載の方法。
（項目１４）
前記第１の指示情報は第２の情報をさらに含み、前記第２の情報は、前記基地局によって構成されたＰＤＣＰパケット複製機能の初期状態を特徴付けるためであり、前記初期状態は、活性状態または非活性状態であり、
前記ＲＢに対応する伝送機能をＰＤＣＰパケット複製機能に設定した後、
前記基地局によって構成された前記初期状態をＰＤＣＰパケット複製機能の初期状態として設定することをさらに含む、
項目１２に記載の方法。
（項目１５）
前記第１の指示情報は第３の情報をさらに含み、前記第３の情報は、前記基地局によって構成されたベアラ分離のための指定された閾値と指定された伝送エンティティを特徴付けるためであり、前記指定された伝送エンティティは、プライマリＲＬＣエンティティまたはセカンダリＲＬＣエンティティであり、
前記ＲＢに対応する伝送機能をベアラ分離機能に設定した後、
前記基地局によって構成された前記指定された閾値と前記指定された伝送エンティティにしたがって、ベアラ分離機能に対応する第１のベアラ分離ルールを設定することであって、前記第１のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含むことと、
前記第１のベアラ分離ルールで指示された現在の伝送エンティティを使用して、データ伝送を行うことと、をさらに含む、
項目１２に記載の方法。
（項目１６）
前記第１の指示情報は第４の情報をさらに含み、前記第４の情報は、前記基地局によって構成された前記ＰＤＣＰパケット複製機能の初期状態、前記基地局によって構成されたベアラ分離のための指定された閾値と指定された伝送エンティティ、および前記基地局によって構成された優先的に開始される伝送機能を特徴づけるためであり、前記初期状態は、活性状態または非活性状態であり、前記指定された伝送エンティティは、プライマリＲＬＣエンティティまたはセカンダリＲＬＣエンティティであり、前記優先的に開始される伝送機能は、ＰＤＣＰパケット複製機能またはベアラ分離機能であり、
前記ＲＢに対応する伝送機能をＰＤＣＰパケット複製機能とベアラ分離機能に設定した後、
前記基地局によって構成された前記初期状態をＰＤＣＰパケット複製機能の初期状態として設定することと、
前記基地局によって構成された前記指定された閾値と前記指定された伝送エンティティにしたがって、ベアラ分離機能に対応する第２のベアラ分離ルールを設定することであって、前記第２のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含むことと、
設定されたＰＤＣＰパケット複製機能の初期状態が活性状態であるかどうかを判定することと、
初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信することと、
初期状態が非活性状態であると決定された場合、前記第２のベアラ分離ルールに指示された現在の伝送エンティティを使用してデータ伝送を行い、または、プライマリＲＬＣエンティティを使用してデータ伝送を行って、セカンダリＲＬＣエンティティに既に送信されたデータは、セカンダリＲＬＣエンティティを介して引き続き伝送を行うことと、をさらに含む、
項目１２に記載の方法。
（項目１７）
前記第２のベアラ分離ルールに指示された現在の伝送エンティティを使用してデータ伝送を行い、または、プライマリＲＬＣエンティティを使用してデータ伝送を行って、セカンダリＲＬＣエンティティに既に送信されたデータは、セカンダリＲＬＣエンティティを介して引き続き伝送を行うことは、
前記基地局によって構成された優先的に開始される伝送機能がベアラ分離機能であるかどうかを判定することと、
前記基地局によって構成された優先的に開始される伝送機能がベアラ分離機能であると判定した場合、前記第２のベアラ分離ルールに指示された現在の伝送エンティティを使用してデータ伝送を行うことと、
前記基地局によって構成された優先的に開始される伝送機能がベアラ分離機能でないと判定した場合、プライマリＲＬＣエンティティを使用してデータ伝送を行って、セカンダリＲＬＣエンティティに既に送信されたデータは、セカンダリＲＬＣエンティティを介して引き続き伝送を行うことと、を含む、
項目１６に記載の方法。
（項目１８）
前記方法は、
基地局によって送信された第２の指示メッセージを受信することであって、前記第２の指示メッセージは、ＰＤＣＰパケット複製機能に対する失活指示を特徴付けるためであることと、
前記ＲＢに対応する伝送機能はＰＤＣＰパケット複製機能を含み、且つ前記ＰＤＣＰパケット複製機能が活性状態にある場合、前記第２の指示情報にしたがって、前記ＲＢに対応する伝送機能がベアラ分離機能を含むかどうかを判定することと、
前記ＲＢに対応する伝送機能がベアラ分離機能を含むと判定した場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行うことと、
前記ＲＢに対応する伝送機能がベアラ分離機能を含まないと判定した場合、セカンダリＲＬＣエンティティを再構築し、プライマリＲＬＣエンティティを使用してデータ伝送を行うことと、を含む、
項目１０に記載の方法。
（項目１９）
前記プライマリＲＬＣエンティティとセカンダリＲＬＣを引き続き使用してデータ伝送を行って、ベアラ分離機能を有効にし、または、ベアラ分離機能を有効にせずにプライマリＲＬＣエンティティを介してＰＤＣＰパケットを伝送することは、
前記基地局によって構成された優先的に開始される伝送機能がベアラ分離機能であるかどうかを判定することと、
前記基地局によって構成された優先的に開始される伝送機能がベアラ分離機能であると判定した場合、プライマリＲＬＣエンティティとセカンダリＲＬＣを引き続き使用してデータ伝送を行うことと、
前記基地局によって構成された優先的に開始される伝送機能がベアラ分離機能でないと判定した場合、ベアラ分離機能を有効にせずにセカンダリＲＬＣエンティティを再構築し、プライマリＲＬＣエンティティを使用してデータ伝送を行うことと、を含む、
項目１８に記載の方法。
（項目２０）
前記方法は、
基地局によって送信された第３の指示メッセージを受信することであって、前記第３の指示メッセージは、ＰＤＣＰパケット複製機能に対する構成解除指示を特徴付けるためであることと、
前記第３の指示情報にしたがって、前記ＲＢに対応する伝送機能がベアラ分離機能を含むどうかを判定することと、
前記ＲＢに対応する伝送機能がベアラ分離機能を含むと判定した場合、プライマリＲＬＣエンティティとセカンダリＲＬＣを引き続き使用してデータ伝送を行い、ベアラ分離機能を有効にすることと、
前記ＲＢに対応する伝送機能がベアラ分離機能を含まないと判定した場合、セカンダリＲＬＣエンティティを解放し、プライマリＲＬＣエンティティを使用してデータ伝送を行うことと、をさらに含む、
項目１０または１８に記載の方法。
（項目２１）
前記方法は、
基地局によって送信された第４の指示メッセージを受信することであって、前記第４の指示メッセージは、ベアラ分離機能に対する構成解除指示を特徴付けるためであることと、
前記ＲＢに対応する伝送機能がＰＤＣＰパケット複製機能とベアラ分離機能を含む場合、前記第４の指示メッセージにしたがってベアラ分離機能を停止することと、をさらに含む、
項目１０に記載の方法。
（項目２２）
前記第４の指示メッセージにしたがってベアラ分離機能を停止した後、
ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送することをさらに含む、
項目２１に記載の方法。
（項目２３）
基地局に使用される無線ベアラの指示装置であって、
無線ベアラ（ＲＢ）に少なくとも１つの伝送機能を構成するように構成される第１の構成モジュールと、
各前記伝送機能に共有される少なくとも２つの伝送エンティティを構成するように構成される第２の構成モジュールと、
第１の情報を第１の指示メッセージに追加するように構成される第１の追加モジュールであって、前記第１の指示メッセージは、前記伝送機能と前記伝送エンティティを特徴付けるためである、第１の追加モジュールと、
前記端末が前記第１の指示メッセージにしたがって前記ＲＢに対応する伝送機能と伝送エンティティを設定するように、前記第１の指示メッセージを端末に送信するように構成される第１の送信モジュールと、を含む、前記無線ベアラの指示装置。
（項目２４）
前記少なくとも２つの伝送エンティティは、プライマリ無線リンク制御（ＲＬＣ）エンティティおよびセカンダリＲＬＣエンティティを含む、
項目２３に記載の装置。
（項目２５）
前記少なくとも１つの伝送機能は、データパケット集約プロトコル（ＰＤＣＰ）パケット複製機能および／またはベアラ分離機能を含む、
項目２３または２４に記載の装置。
（項目２６）
前記少なくとも１つの伝送機能はＰＤＣＰパケット複製機能のみを含み、前記装置は、さらに、
ＰＤＣＰパケット複製機能の初期状態を構成するように構成される第３の構成モジュールであって、前記初期状態は、活性状態または非活性状態である、第３の構成モジュールと、
前記初期状態を特徴付けるための第２の情報を前記第１の指示メッセージに追加するように構成される第２の追加モジュールと、を含む、
項目２５に記載の装置。
（項目２７）
前記少なくとも１つの伝送機能はベアラ分離機能のみを含み、前記装置は、さらに、
ベアラ分離のための指定された閾値と指定された伝送エンティティを構成するように構成される第４の構成モジュールであって、前記指定された伝送エンティティは、プライマリＲＬＣエンティティまたはセカンダリＲＬＣエンティティである、第４の構成モジュールと、
前記指定された閾値と指定された伝送エンティティを特徴付けるための第３の情報を、前記第１の指示メッセージに追加するように構成される第３の追加モジュールと、を含む、
項目２５に記載の装置。
（項目２８）
前記少なくとも１つの伝送機能はＰＤＣＰパケット複製機能とベアラ分離機能を含み、前記装置は、さらに、
前記ＰＤＣＰパケット複製機能の初期状態を構成するように構成される第５の構成モジュールであって、前記初期状態は、活性状態または非活性状態である、第５の構成モジュールと、
ベアラ分離ルール中の指定された閾値と指定された伝送エンティティを構成するように構成される第６の構成モジュールであって、前記指定された伝送エンティティは、プライマリＲＬＣエンティティまたはセカンダリＲＬＣエンティティである、第６の構成モジュールと、
優先的に開始される伝送機能を構成するように構成される第７の構成モジュールであって、前記優先的に開始される伝送機能は、ＰＤＣＰパケット複製機能またはベアラ分離機能である、第７の構成モジュールと、
第４の情報を前記第１の指示メッセージに追加するように構成される第４の追加モジュールであって、前記第４の情報は、前記初期状態、前記指定された閾値と指定された伝送エンティティ、前記優先的に開始される伝送機能を特徴付けるためである、第４の追加モジュールと、を含む、
項目２５に記載の装置。
（項目２９）
前記装置は、さらに、
前記端末に第２の指示メッセージを送信するように構成される第２の送信モジュールであって、前記第２の指示メッセージは、ＰＤＣＰパケット複製機能に対する失活指示を特徴付けるためである、第２の送信モジュールを含む、
項目２３に記載の装置。
（項目３０）
前記装置は、さらに、
前記端末に第３の指示メッセージを送信するように構成される第３の送信モジュールであって、前記第３の指示メッセージは、ＰＤＣＰパケット複製機能に対する構成解除指示を特徴付けるためである、第３の送信モジュールを含む、
項目２３に記載の装置。
（項目３１）
前記装置は、さらに、
前記端末に第４の指示メッセージを送信するように構成される第４の送信モジュールであって、前記第４の指示メッセージは、ベアラ分離機能に対する構成解除指示を特徴付けるためである、第４の送信モジュールを含む、
項目２３に記載の装置。
（項目３２）
端末に使用される無線ベアラの指示装置であって、
基地局によって送信された第１の指示メッセージを受信するように構成される第１の受信モジュールであって、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためである、第１の受信モジュールと、
前記第１の情報の少なくとも１つの伝送機能にしたがって、前記ＲＢに対応する伝送機能を設定するように構成される第１の設定モジュールと、
前記第１の情報の少なくとも２つの伝送エンティティにしたがって、前記ＲＢに対応する伝送エンティティを設定するように構成される第２の設定モジュールと、を含む、前記無線ベアラの指示装置。
（項目３３）
前記少なくとも２つの伝送エンティティはプライマリ無線リンク制御（ＲＬＣ）エンティティおよびセカンダリＲＬＣエンティティを含み、
前記第２の設定モジュールは、
前記基地局によって構成されたプライマリＲＬＣエンティティとセカンダリＲＬＣエンティティを、前記ＲＢに対応する伝送エンティティとして設定するように構成される第１の設定サブモジュールを含む、
項目３２に記載の装置。
（項目３４）
前記少なくとも１つの伝送機能はデータパケット集約プロトコル（ＰＤＣＰ）パケット複製機能および／またはベアラ分離機能を含み、
前記第１の設定モジュールは、
前記少なくとも１つの伝送機能がＰＤＣＰパケット複製機能のみを含む場合、前記ＲＢに対応する伝送機能をＰＤＣＰパケット複製機能に設定するように構成される第２の設定サブモジュールと、
前記少なくとも１つの伝送機能がベアラ分離機能のみを含む場合、前記ＲＢに対応する伝送機能をベアラ分離機能に設定するように構成される第３の設定サブモジュールと、
前記少なくとも１つの伝送機能がＰＤＣＰパケット複製機能とベアラ分離機能を含む場合、前記ＲＢに対応する伝送機能をＰＤＣＰパケット複製機能とベアラ分離機能に設定するように構成される第４の設定サブモジュールとを含む、
項目３２または３３に記載の装置。
（項目３５）
前記装置は、さらに、
前記ＲＢに対応する伝送機能をＰＤＣＰパケット複製機能に設定した後、システムのデフォルトの初期状態をＰＤＣＰパケット複製機能の初期状態として設定するように構成される第３の設定モジュールであって、前記システムのデフォルトの初期状態は、活性状態または非活性状態を含む、第３の設定モジュールを含む、
項目３４に記載の装置。
（項目３６）
前記第１の指示情報は第２の情報をさらに含み、前記第２の情報は、前記基地局によって構成されたＰＤＣＰパケット複製機能の初期状態を特徴付けるためであり、前記初期状態は、活性状態または非活性状態であり、
前記装置は、さらに、
前記ＲＢに対応する伝送機能をＰＤＣＰパケット複製機能に設定した後、前記基地局によって構成された前記初期状態をＰＤＣＰパケット複製機能の初期状態として設定するように構成される第４の設定モジュールを含む、
項目３４に記載の装置。
（項目３７）
前記第１の指示情報は第３の情報をさらに含み、前記第３の情報は、前記基地局によって構成されたベアラ分離のための指定された閾値と指定された伝送エンティティを特徴付けるためであり、前記指定された伝送エンティティは、プライマリＲＬＣエンティティまたはセカンダリＲＬＣエンティティであり、
前記装置は、さらに、
前記ＲＢに対応する伝送機能をベアラ分離機能に設定した後、前記基地局によって構成された前記指定された閾値と前記指定された伝送エンティティにしたがって、ベアラ分離機能に対応する第１のベアラ分離ルールを設定するように構成される第５の設定モジュールであって、前記第１のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第５の設定モジュールと、
前記第１のベアラ分離ルールで指示された現在の伝送エンティティを使用して、データ伝送を行うように構成される第１の伝送モジュールと、を含む、
項目３４に記載の装置。
（項目３８）
前記第１の指示情報は第４の情報をさらに含み、前記第４の情報は、前記基地局によって構成された前記ＰＤＣＰパケット複製機能の初期状態、前記基地局によって構成されたベアラ分離のための指定された閾値と指定された伝送エンティティ、および前記基地局によって構成された優先的に開始される伝送機能を特徴づけるためであり、前記初期状態は、活性状態または非活性状態であり、前記指定された伝送エンティティは、プライマリＲＬＣエンティティまたはセカンダリＲＬＣエンティティであり、前記優先的に開始される伝送機能は、ＰＤＣＰパケット複製機能またはベアラ分離機能であり、
前記装置は、さらに、
前記ＲＢに対応する伝送機能をＰＤＣＰパケット複製機能とベアラ分離機能に設定した後、前記基地局によって構成された前記初期状態をＰＤＣＰパケット複製機能の初期状態として設定するように構成される第６の設定モジュールと、
前記基地局によって構成された前記指定された閾値と前記指定された伝送エンティティにしたがって、ベアラ分離機能に対応する第２のベアラ分離ルールを設定するように構成される第７の設定モジュールであって、前記第２のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第７の設定モジュールと、
設定されたＰＤＣＰパケット複製機能の初期状態が活性状態であるかどうかを判定するように構成される第１の判定モジュールと、
初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信するように構成される第２の伝送モジュールと、
初期状態が非活性状態であると決定された場合、前記第２のベアラ分離ルールに指示された現在の伝送エンティティを使用してデータ伝送を行い、または、プライマリＲＬＣエンティティを使用してデータ伝送を行って、セカンダリＲＬＣエンティティに既に送信されたデータは、セカンダリＲＬＣエンティティを介して引き続き伝送を行うように構成される第３の伝送モジュールと、を含む、
項目３４に記載の装置。
（項目３９）
前記第３の伝送モジュールは、
前記基地局によって構成された優先的に開始される伝送機能がベアラ分離機能であるかどうかを判定するように構成される第１の判定サブモジュールと、
前記基地局によって構成された優先的に開始される伝送機能がベアラ分離機能である場合、前記第２のベアラ分離ルールに指示された現在の伝送エンティティを使用してデータ伝送を行うように構成される第１の伝送サブモジュールと、
前記基地局によって構成された優先的に開始される伝送機能がベアラ分離機能ではない場合、プライマリＲＬＣエンティティを使用してデータ伝送を行って、セカンダリＲＬＣエンティティに既に送信されたデータは、セカンダリＲＬＣエンティティを介して引き続き伝送を行うように構成される第２の伝送サブモジュールと、を含む、
項目３８に記載の装置。
（項目４０）
前記装置は、さらに、
基地局によって送信された第２の指示メッセージを受信するように構成される第２の受信モジュールであって、前記第２の指示メッセージは、ＰＤＣＰパケット複製機能に対する失活指示を特徴付けるためである、第２の受信モジュールと、
前記ＲＢに対応する伝送機能はＰＤＣＰパケット複製機能を含み、且つ前記ＰＤＣＰパケット複製機能が活性状態にある場合、前記第２の指示情報にしたがって、前記ＲＢに対応する伝送機能がベアラ分離機能を含むかどうかを判定するように構成される第２の判定モジュールと、
前記ＲＢに対応する伝送機能がベアラ分離機能を含む場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行うように構成される第４の伝送モジュールと、
前記ＲＢに対応する伝送機能がベアラ分離機能を含まない場合、セカンダリＲＬＣエンティティを再構築し、プライマリＲＬＣエンティティを使用してデータ伝送を行うように構成される第５の伝送モジュールと、を含む、
項目３２に記載の装置。
（項目４１）
前記第４の伝送モジュールは、
前記基地局によって構成された優先的に開始される伝送機能がベアラ分離機能であるかどうかを判定するように構成される第２の判定サブモジュールと、
基地局によって構成された優先的に開始される伝送機能がベアラ分離機能である場合、プライマリＲＬＣエンティティとセカンダリＲＬＣを引き続き使用してデータ伝送を行うように構成される第３の伝送サブモジュールと、
基地局によって構成された優先的に開始される伝送機能がベアラ分離機能ではない場合、ベアラ分離機能を有効にせずにセカンダリＲＬＣエンティティを再構築し、プライマリＲＬＣエンティティを使用してデータ伝送を行うように構成される第４の伝送サブモジュールと、を含む、
項目４０に記載の装置。
（項目４２）
前記装置は、さらに、
基地局によって送信された第３の指示メッセージを受信するように構成される第３の受信モジュールであって、前記第３の指示メッセージは、ＰＤＣＰパケット複製機能に対する構成解除指示を特徴付けるためである、第３の受信モジュールと、
前記第３の指示情報にしたがって、前記ＲＢに対応する伝送機能がベアラ分離機能を含むどうかを判定するように構成される第３の判定モジュールと、
前記ＲＢに対応する伝送機能がベアラ分離機能を含む場合、プライマリＲＬＣエンティティとセカンダリＲＬＣを引き続き使用してデータ伝送を行い、ベアラ分離機能を有効にするように構成される第６の伝送モジュールと、
前記ＲＢに対応する伝送機能がベアラ分離機能を含まない場合、セカンダリＲＬＣエンティティを解放し、プライマリＲＬＣエンティティを使用してデータ伝送を行うように構成される第７の伝送モジュールと、を含む、
項目３２または４０に記載の装置。
（項目４３）
前記装置は、さらに、
基地局によって送信された第４の指示メッセージを受信するように構成される第４の受信モジュールであって、前記第２の指示メッセージは、ベアラ分離機能に対する構成解除指示を特徴付けるためである、第４の受信モジュールと、
前記ＲＢに対応する伝送機能がＰＤＣＰパケット複製機能とベアラ分離機能を含む場合、前記第４の指示メッセージにしたがってベアラ分離機能を停止するように構成される停止モジュールと、を含む、
項目３２または４０に記載の装置。
（項目４４）
前記装置は、さらに、
前記第４の指示メッセージにしたがってベアラ分離機能を停止した後、ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送するように構成される第８の伝送モジュールを含む、
項目４３に記載の装置。
（項目４５）
コンピュータプログラムが記憶されている非一時的なコンピュータ読み取り可能な記憶媒体であって、
前記コンピュータプログラムは、項目１ないし９のいずれか一項に記載の無線ベアラの指示方法を実行するためである、前記コンピュータ読み取り可能な記憶媒体。
（項目４６）
コンピュータプログラムが記憶されている非一時的なコンピュータ読み取り可能な記憶媒体であって、
前記コンピュータプログラムは、項目１０ないし２２のいずれか一項に記載の無線ベアラの指示方法を実行するためである、前記コンピュータ読み取り可能な記憶媒体。
（項目４７）
基地局に使用される無線ベアラの指示装置であって、
プロセッサと、
プロセッサ実行可能な命令を格納するためのメモリと、を含み、
前記プロセッサは、
無線ベアラ（ＲＢ）に少なくとも１つの伝送機能を構成し、
各前記伝送機能に共有される少なくとも２つの伝送エンティティを構成し、
第１の情報を第１の指示メッセージに追加し、前記第１の指示メッセージは、前記伝送機能と前記伝送エンティティを特徴付けるためであり、
前記端末が前記第１の指示メッセージにしたがって前記ＲＢに対応する伝送機能と伝送エンティティを設定するように、前記第１の指示メッセージを端末に送信するように構成される、前記無線ベアラの指示装置。
（項目４８）
端末に使用される無線ベアラの指示装置であって、
プロセッサと、
プロセッサ実行可能な命令を格納するためのメモリと、を含み、
前記プロセッサは、
基地局によって送信された第１の指示メッセージを受信し、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためであり、
前記第１の情報の少なくとも１つの伝送機能にしたがって、前記ＲＢに対応する伝送機能を設定し、
前記第１の情報の少なくとも２つの伝送エンティティにしたがって、前記ＲＢに対応する伝送エンティティを設定するように構成される、前記無線ベアラの指示装置。
【図面の簡単な説明】
【００７５】
ここでの図面は、本明細書に組み込まれてその一部を構成し、本開示と一致する実施例を示し、明細書とともに本開示の原理を説明するために使用される。
【図１】例示的な実施例により示す無線ベアラの指示方法のフローチャートである。
【図２】例示的な実施例により示すＰＤＣＰパケット複製とキャリアの組み合わせの模式図である。
【図３】例示的な実施例により示す無線ベアラの指示方法のシーングラフである。
【図４】例示的な実施例により示す別の無線ベアラの指示方法のフローチャートである。
【図５】例示的な実施例により示す別の無線ベアラの指示方法のフローチャートである。
【図６】例示的な実施例により示す別の無線ベアラの指示方法のフローチャートである。
【図７】例示的な実施例により示す無線ベアラの指示方法のフローチャートである。
【図８】例示的な実施例により示す別の無線ベアラの指示方法のフローチャートである。
【図９】例示的な実施例により示す別の無線ベアラの指示方法のフローチャートである。
【図１０】例示的な実施例により示す別の無線ベアラの指示方法のフローチャートである。
【図１１】例示的な実施例により示す別の無線ベアラの指示方法のフローチャートである。
【図１２】例示的な実施例により示す別の無線ベアラの指示方法のフローチャートである。
【図１３】例示的な実施例により示す無線ベアラの指示装置のブロック図である。
【図１４】例示的な実施例により示す別の無線ベアラの指示装置のブロック図である。
【図１５】例示的な実施例により示す別の無線ベアラの指示装置のブロック図である。
【図１６】例示的な実施例により示す別の無線ベアラの指示装置のブロック図である。
【図１７】例示的な実施例により示す無線ベアラの指示装置のブロック図である。
【図１８】例示的な実施例により示す別の無線ベアラの指示装置のブロック図である。
【図１９】例示的な実施例により示す別の無線ベアラの指示装置のブロック図である。
【図２０】例示的な実施例により示す別の無線ベアラの指示装置のブロック図である。
【図２１】例示的な実施例により示す別の無線ベアラの指示装置のブロック図である。
【図２２】例示的な実施例により示す別の無線ベアラの指示装置のブロック図である。
【図２３】例示的な実施例により示す別の無線ベアラの指示装置のブロック図である。
【図２４】例示的な実施例により示す別の無線ベアラの指示装置のブロック図である。
【図２５】例示的な実施例により示す別の無線ベアラの指示装置のブロック図である。
【図２６】例示的な実施例により示す別の無線ベアラの指示装置のブロック図である。
【図２７】例示的な実施例により示す無線ベアラの指示装置の構造模式図である。
【図２８】例示的な実施例により示す無線ベアラの指示装置の構造模式図である。
【発明を実施するための形態】
【００７６】
ここで、例示的な実施例を詳細に説明し、その例は添付の図面に示す。別の指示がない限り、以下の説明が図面に関する場合、異なる図面の同じ数字は同じまたは類似な要素を表す。以下の例示的な実施例で説明される実施形態は、本発明と一致するすべての実施形態を表すものではない。むしろ、それらは、添付された特許請求の範囲に詳述されるように、本発明の特定の態様と一致する装置および方法の例である。
【００７７】
本開示で使用される用語は、ただ特定の実施例を説明することを目的とし、本開示を限定することを意図するものではない。本開示および添付の特許請求の範囲で使用されるように、単数形「１つの」、「前記」および「当該」は、文脈から明確に他の意味が示されない限り、複数形も含むことを意図している。本明細書で使用される「および／または」という用語は、関連する列挙された項目の１つまたは複数の任意のまたはすべての可能か組み合わせを含んで指すことも理解されたい。
【００７８】
本開示では第１、第２、第３などの用語を使用して様々な情報を説明することができるが、これらの情報はこれらの用語に限定されないことを理解されたい。これらの用語は、同じタイプの情報をお互いに区別するためにのみ使用される。例えば、本開示の範囲から逸脱することなく、指示情報は第２の情報とも呼ばれ、同様に、第２の情報は指示情報とも呼ばれ得る。文脈に応じて、本明細書で使用される「…ば」という語は、「…と」または「…場合」または「決定に応じて」と解釈することができる。
【００７９】
図１は、例示的な実施例により示す無線ベアラの指示方法のフローチャートであり、前記無線ベアラの指示方法は、基地局に使用されることができる。図１に示されるように、前記無線ベアラの指示方法は、次のステップ１１０〜１３０を含む。
【００８０】
ステップ１１０において、ＲＢに少なくとも１つの伝送機能を構成する。
【００８１】
本開示の実施例において、ＲＢは、ＳＲＢまたはＤＲＢであり得る。そして、前記ＲＢは、新しく確立されたＳＲＢまたはＤＲＢであってもよく、または既に確立されたＳＲＢまたはＤＲＢであってもよい。
【００８２】
本開示の実施例において、伝送機能は、ＰＤＣＰパケット複製機能であってもよく、ベアラ分離（ｓｐｌｉｔ  ｂｅａｒｅｒ）機能であってもよい。実際の状況によって、基地局は、ＲＢにＰＤＣＰパケット複製機能を構成してもよく、ＲＢにベアラ分離機能を構成してもよく、さらに、ＲＢにＰＤＣＰパケット複製機能とベアラ分離機能を構成してもよい。
【００８３】
ここで、ＰＤＣＰパケット複製機能は、ＰＤＣＰ層のデータを複製して、ＰＤＣＰパケットとＰＤＣＰ複製パケットを取得し、２つの異なる無線リンク制御（ＲＬＣ：Ｒａｄｉｏ  Ｌｉｎｋ  Ｃｏｎｔｒｏｌ）エンティティを介して送信することを指すことができ、ベアラ分離機能は、ＰＤＣＰ層の下で１つのＲＢを２つまたは複数のＲＬＣエンティティにマッピングすることを指すことができる。図２に示されるように、ＰＤＣＰパケット複製はキャリアに組み合わせて、即ち、ベアラ分離を介して１つのＰＤＣＰ層を異なる論理チャネルにマッピングし、さらに異なる物理キャリアにマッピングする。
【００８４】
ステップ１２０において、各伝送機能に共有される少なくとも２つの伝送エンティティを構成する。
【００８５】
本開示の実施例において、伝送エンティティは、各伝送機能を実現することに共有されるＲＬＣエンティティを指すことができる。例えば、ＰＤＣＰパケット複製機能の実現には、プライマリＲＬＣエンティティとセカンダリＲＬＣエンティティが必要であり、ベアラ分離機能の実現にも、プライマリＲＬＣエンティティとセカンダリＲＬＣエンティティが必要であり、この場合、ＲＢにプライマリＲＬＣエンティティとセカンダリＲＬＣエンティティのこの２つのＲＬＣエンティティを構成することができる。
【００８６】
ステップ１３０において、第１の情報を第１の指示メッセージに追加し、前記第１の情報は、基地局が無線ベアラ（ＲＢ）に構成した少なくとも１つの伝送機能と少なくとも２つの伝送エンティティを特徴付けるためである。
【００８７】
本開示の実施例において、基地局がＲＢのためにＰＤＣＰパケット複製機能、プライマリＲＬＣエンティティとセカンダリＲＬＣエンティティを構成した場合、このとき、第１の指示メッセージを介して基地局の構成情報を端末に送信することができる。
【００８８】
ステップ１４０において、第１の指示メッセージを端末に送信して、端末が、前記第１の指示メッセージにしたがって、ＲＢに対応する伝送機能と伝送エンティティを設定する。
【００８９】
１つの具現例のシナリオにおいて、図３に示されるように、基地局および端末を含む。基地局は、ＲＢに少なくとも１つの伝送機能を構成し、各伝送機能に共有される少なくとも２つの伝送エンティティを構成し、基地局が無線ベアラ（ＲＢ）に構成した少なくとも１つの伝送機能と少なくとも２つの伝送エンティティを特徴付けるための第１の情報を第１の指示メッセージに追加し、第１の指示メッセージを端末に送信して、端末が、前記第１の指示メッセージにしたがって、ＲＢに対応する伝送機能と伝送エンティティを設定する。
【００９０】
上記の実施例からわかるように、ＲＢに少なくとも１つの伝送機能を構成し、各伝送機能に共有される少なくとも２つの伝送エンティティを構成し、基地局が無線ベアラ（ＲＢ）に構成した少なくとも１つの伝送機能と少なくとも２つの伝送エンティティを特徴付けるための第１の情報を第１の指示メッセージに追加し、第１の指示メッセージを端末に送信して、端末が、前記第１の指示メッセージにしたがって、ＲＢに対応する伝送機能と伝送エンティティを設定し、それにより、同じＲＢに対して少なくとも２つの共有の伝送エンティティを使用することで、１つまたは複数の伝送機能を実現し、無線ベアラの指示効率を向上させることができる。
【００９１】
ある実施例において、前記ステップ１１０において、基地局がＲＢに構成した少なくとも１つの伝送機能は、ＰＤＣＰパケット複製機能および／またはベアラ分離機能を含むことができる。
【００９２】
上記の実施例からわかるように、ＲＢにＰＤＣＰパケット複製機能および／またはベアラ分離機能を構成することにより、端末が基地局の構成にしたがって、前記ＲＢのために、対応するＰＤＣＰパケット複製機能および／またはベアラ分離機能を設定することができ、それにより、ＲＢの伝送機能、特に、ＰＤＣＰパケット複製機能を豊富にし、データパケットまたはシグナリングパケットの信頼性を向上させることができる。
【００９３】
ある実施例において、前記ステップ１２０では、基地局がＲＢに構成した少なくとも２つの伝送エンティティは、プライマリＲＬＣエンティティとセカンダリＲＬＣエンティティを含むことができる。
【００９４】
上記の実施例からわかるように、ＲＢにプライマリＲＬＣエンティティとセカンダリＲＬＣエンティティを構成することにより、端末が基地局の構成にしたがって、前記ＲＢのために、プライマリＲＬＣエンティティとセカンダリＲＬＣエンティティを設定することができ、こうして、端末が１つのＲＬＣエンティティのみを設定するため、基地局がＲＢに構成した伝送機能、特に、ＰＤＣＰパケット複製機能を実現することができないことを防止することができる。ＰＤＣＰパケットとＰＤＣＰ複製パケットが両方とも同じＲＬＣエンティティで伝送されると、即ち、ＰＤＣＰパケットとＰＤＣＰ複製パケットが同じキャリアで送信されると、同じキャリアでの信号品質が非常に悪いため、ＰＤＣＰ複製パケットが前記キャリアでまだ送信される場合に、送信が成功する確率が非常に低くなり、データパケットまたはシグナリングパケットの信頼性を向上させる目的を達成することができない問題を引き起こす。
【００９５】
ある実施例において、前記ステップ１１０では、基地局がＲＢにＰＤＣＰパケット複製機能のみ構成した場合、ＲＢにＰＤＣＰパケット複製機能の初期状態を構成することも必要であり、図４に示されるように、前記無線ベアラの指示方法は、さらに次のステップ４１０〜４２０を含む。
【００９６】
ステップ４１０において、ＰＤＣＰパケット複製機能の初期状態を構成し、前記初期状態は、活性状態または非活性状態である。
【００９７】
本開示の実施例において、基地局は、ＰＤＣＰパケット複製機能の初期状態を構成し、その目的は、端末が基地局によって構成された初期状態にしたがってＰＤＣＰパケット複製機能の初期状態を設定することである。
【００９８】
ステップ４２０において、ＰＤＣＰパケット複製機能の初期状態を特徴付けるための第２の情報を第１の指示メッセージに追加する。
【００９９】
上記の実施例からわかるように、ＰＤＣＰパケット複製機能の初期状態を構成し、前記初期状態は、活性状態または非活性状態であり、端末が基地局の構成にしたがって、同じ初期状態を設定することができ、こうして、基地局は、ＰＤＣＰパケット複製機能を活性化するかどうかを柔軟に把握することができ、それにより、基地局がＰＤＣＰパケット複製機能に対する初期状態の制御を実現し、無線ベアラ指示の信頼性を向上させることができる。
【０１００】
ある実施例において、前記ステップ１１０では、基地局がＲＢのためにベアラ分離機能のみを構成した場合、ＲＢにベアラ分離のための指定された閾値と指定された伝送エンティティを構成する必要があり、図５に示されるように、前記無線ベアラの指示方法は、次のステップ５１０〜５２０を含む。
【０１０１】
ステップ５１０において、ベアラ分離のための指定された閾値と指定された伝送エンティティを構成し、前記指定された伝送エンティティは、プライマリＲＬＣエンティティまたはセカンダリＲＬＣエンティティである。
【０１０２】
本開示の実施例において、基地局が指定された閾値と指定された伝送エンティティを構成し、その目的は、端末が、基地局によって構成された指定された閾値と指定された伝送エンティティにしたがって対応するベアラ分離ルールを設定することである。
【０１０３】
ここで、ベアラ分離ルールは、伝送データの量が指定された閾値より小さい場合、前記指定された伝送エンティティが現在の伝送エンティティであることを指示することと、伝送データの量が指定された閾値より大きいか等しい場合、プライマリＲＬＣエンティティとセカンダリＲＬＣエンティティが両方とも現在の伝送エンティティであることを指示する。
【０１０４】
ステップ５２０において、指定された閾値と指定された伝送エンティティを特徴付けるための第３の情報を第１の指示メッセージに追加する。
【０１０５】
上記の実施例からわかるように、指定された閾値と指定された伝送エンティティを構成することにより、端末が基地局の構成にしたがって、対応するベアラ分離ルールを設定し、対応するベアラ分離ルールデータ伝送を行い、こうして、データ伝送の効率を確保し、さらに各伝送エンティティの使用率も改善することができる。
【０１０６】
ある実施例において、前記ステップ１１０では、基地局がＲＢにＰＤＣＰパケット複製機能とベアラ分離機能を構成した場合、ＲＢにＰＤＣＰパケット複製機能の初期状態、およびベアラ分離のための指定された閾値と指定された伝送エンティティを構成する必要があるだけでなく、さらに、優先的に開始される伝送機能を構成する必要がある。図６に示されるように、前記無線ベアラの指示方法は、さらに次のステップ６１０〜６４０を含む。
【０１０７】
ステップ６１０において、ＰＤＣＰパケット複製機能の初期状態を構成し、前記初期状態は、活性状態または非活性状態である。
【０１０８】
ステップ６２０において、ベアラ分離のための指定された閾値と指定された伝送エンティティを構成し、前記指定された伝送エンティティは、プライマリＲＬＣエンティティまたはセカンダリＲＬＣエンティティである。
【０１０９】
ステップ６３０において、優先的に開始される伝送機能を構成し、前記優先的に開始される伝送機能は、ＰＤＣＰパケット複製機能またはベアラ分離機能である。
【０１１０】
本開示の実施例において、２つの機能を構成したＲＢに対して、基地局は、優先的に開始される伝送機能をさらに示す。例えば、ベアラ分離機能を優先的に開始する。
【０１１１】
ステップ６４０において、第４の情報を第１の指示メッセージに追加し、前記第４の情報は、基地局によって構成されたＰＤＣＰパケット複製機能の初期状態、指定された閾値と指定された伝送エンティティ、優先的に開始される伝送機能を特徴付けるためである。
【０１１２】
上記の実施例からわかるように、前記初期状態は、活性状態または非活性状態である、ＰＤＣＰパケット複製機能の初期状態を構成することにより、ベアラ分離のための指定された閾値と、プライマリＲＬＣエンティティまたはセカンダリＲＬＣエンティティである指定された伝送エンティティを構成し、ＰＤＣＰパケット複製機能またはベアラ分離機能である優先的に開始される伝送機能を構成することにより、端末が基地局の構成にしたがって、対応する設定を行うことができ、ＰＤＣＰパケット複製機能とベアラ分離機能に対する２つの状況で初期状態が異なり、優先的に開始される伝送機能が異なり、端末の使用する伝送方式も異なって、こうして、基地局は、前記構成によって端末のデータ伝送方式を間接的に制御し、それにより、無線ベアラ伝送の信頼性を向上させることができる。
【０１１３】
ある実施例において、前記ステップ１４０の後、ＰＤＣＰパケット複製機能を構成したＲＢに対して、且つ前記ＰＤＣＰパケット複製機能が活性状態である場合、基地局は、さらに端末の失活を指示することができる。
【０１１４】
この方法で、基地局は、端末に第２の指示メッセージを送信することができ、第２の指示メッセージは、ＰＤＣＰパケット複製機能に対する失活指示を特徴付けるためである。
【０１１５】
上記の実施例からわかるように、端末に、ＰＤＣＰパケット複製機能に対する失活指示を特徴付けるための第２の指示メッセージを送信することにより、基地局のＰＤＣＰパケット複製機能に対する失活を実現し、無線ベアラ指示の信頼性を向上させることができる。
【０１１６】
ある実施例において、前記ステップ１４０の後、ＰＤＣＰパケット複製機能を構成したＲＢに対して、且つ前記ＰＤＣＰパケット複製機能が活性状態である場合、基地局は、さらに端末の構成解除を指示することができる。
【０１１７】
この方法で、基地局は、端末に、ＰＤＣＰパケット複製機能に対する構成解除指示を特徴付けるための第３の指示メッセージを送信することができる。
【０１１８】
上記の実施例からわかるように、端末に、ＰＤＣＰパケット複製機能に対する構成解除指示を特徴付けるための第３の指示メッセージ送信することにより、基地局のＰＤＣＰパケット複製機能に対する構成解除を実現し、無線ベアラ指示の信頼性を向上させることができる。
【０１１９】
ある実施例において、前記ステップ１４０の後、ベアラ分離機能を構成したＲＢに対して、基地局は、さらに端末の構成解除を指示することができる。
【０１２０】
この方法で、基地局は、端末に、ベアラ分離機能に対する構成解除指示を特徴付けるための第４の指示メッセージを送信することができる。
【０１２１】
上記の実施例からわかるように、端末にベアラ分離機能に対する構成解除指示を特徴付けるための第４の指示メッセージを送信することにより、基地局のベアラ分離機能に対する構成解除を実現し、無線ベアラ指示の信頼性を向上させることができる。
【０１２２】
図７は、例示的な実施例により示す無線ベアラの指示方法のフローチャートであり、前記無線ベアラの指示方法は、端末に使用されることができる。図７に示されるように、前記無線ベアラの指示方法は、次のステップ７１０〜７３０を含む。
【０１２３】
ステップ７１０において、基地局によって送信された第１の指示メッセージを受信し、第１の指示メッセージは、第１の情報を含み、前記第１の情報は、基地局がＲＢに構成した少なくとも１つの伝送機能と少なくとも２つの伝送エンティティを特徴付けるためである。
【０１２４】
本開示の実施例において、基地局がＲＢに構成した伝送機能と伝送エンティティは、第１の指示メッセージを介して端末に指示し、端末は、第１の指示メッセージを受信した後、第１の指示メッセージセットの第１の情報にしたがって、基地局がＲＢに構成したのがどの伝送機能とどの伝送エンティティであるかが知られる。
【０１２５】
ステップ７２０において、第１の情報のうちの少なくとも１つの伝送機能にしたがってＲＢに対応する伝送機能を設定する。
【０１２６】
本開示の実施例において、端末は、基地局の構成にしたがってＲＢに対応する伝送機能を設定する。例えば、基地局が構成したのは、ＰＤＣＰパケット複製機能であっても、端末は、ＲＢに対応する伝送機能をＰＤＣＰパケット複製機能に設定する。
【０１２７】
ステップ７３０において、第１の情報の少なくとも２つの伝送エンティティにしたがって、ＲＢに対応する伝送エンティティを設定する。
【０１２８】
本開示の実施例において、端末は、基地局の構成にしたがってＲＢに対応する伝送エンティティを設定する。例えば、基地局が構成したのは２つのエンティティであっても、端末は、２つのエンティティを設定する。
【０１２９】
上記の実施例からわかるように、基地局がＲＢに構成した少なくとも１つの伝送機能と少なくとも２つの伝送エンティティを特徴付けるための第１の情報を含む、基地局によって送信された第１の指示メッセージを受信することにより、第１の情報のうちの少なくとも１つの伝送機能にしたがってＲＢに対応する伝送機能を設定し、第１の情報のうちの少なくとも１つの伝送機能にしたがってＲＢに対応する伝送機能を設定し、それにより、同じＲＢに対して少なくとも２つの共有の伝送エンティティを使用することで、１つまたは複数の伝送機能を実現し、無線ベアラの指示効率を向上させることができる。
【０１３０】
ある実施例において、前記ステップ７１０では、基地局がＲＢに構成した少なくとも２つの伝送エンティティは、プライマリＲＬＣエンティティとセカンダリＲＬＣエンティティを含む場合、端末は、基地局によって構成されたプライマリＲＬＣエンティティとセカンダリＲＬＣエンティティを、ＲＢに対応する伝送エンティティに設定し、即ち、端末もＲＢのためにプライマリＲＬＣエンティティとセカンダリＲＬＣエンティティを設定する。
【０１３１】
上記の実施例からわかるように、基地局の構成にしたがって前記ＲＢのために、プライマリＲＬＣエンティティとセカンダリＲＬＣエンティティを設定することができ、こうして、端末が１つのＲＬＣエンティティのみを設定するため、基地局がＲＢに構成した伝送機能、特に、ＰＤＣＰパケット複製機能を実現することができないことを防止することができ、ＰＤＣＰパケットとＰＤＣＰ複製パケットが両方とも同じＲＬＣエンティティで伝送されると、即ち、ＰＤＣＰパケットとＰＤＣＰ複製パケットが同じキャリアで送信されると、同じキャリアでの信号品質が非常に悪いため、ＰＤＣＰ複製パケットが前記キャリアでまだ送信される場合に、送信が成功する確率が非常に低くなり、データパケットまたはシグナリングパケットの信頼性を向上させる目的を達成することができない問題を引き起こす。
【０１３２】
ある実施例において、前記ステップ７１０では、第１の情報の少なくとも１つの伝送機能がデータパケット集約プロトコル（ＰＤＣＰ）パケット複製機能、および／またはベアラ分離機能を含み、端末は、基地局の構成にしたがってＲＢに対応する伝送機能を設定する。具体的に、次のことを含む。
【０１３３】
（１−１）基地局がＲＢに構成した少なくとも１つの伝送機能にＰＤＣＰパケット複製機能のみを含む場合、端末は、前記ＲＢに対応する伝送機能をＰＤＣＰパケット複製機能に設定する。
【０１３４】
（１−２）基地局がＲＢに構成した少なくとも１つの伝送機能にベアラ分離機能のみを含む場合、端末は、前記ＲＢに対応する伝送機能をベアラ分離機能に設定する。
【０１３５】
（１−３）基地局がＲＢに構成した少なくとも１つの伝送機能にＰＤＣＰパケット複製機能とベアラ分離機能を含む場合、端末は、前記ＲＢに対応する伝送機能をＰＤＣＰパケット複製機能とベアラ分離機能に設定する。
【０１３６】
上記の実施例からわかるように、基地局の構成にしたがって、前記ＲＢのために対応するＰＤＣＰパケット複製機能および／またはベアラ分離機能を設定することにより、ＲＢの伝送機能、特に、ＰＤＣＰパケット複製機能を豊富にし、データパケットまたはシグナリングパケットの信頼性を向上させることができる。
【０１３７】
ある実施例において、端末が、ＲＢに対応する伝送機能をＰＤＣＰパケット複製機能に設定した後、さらに、前記ＰＤＣＰパケット複製機能の初期状態を設定する必要があり、次の方法を含むが、これに限定されない。
【０１３８】
（２−１）システムのデフォルトの初期状態をＰＤＣＰパケット複製機能の初期状態として設定し、前記システムのデフォルトの初期状態は、活性状態または非活性状態を含む。
【０１３９】
本開示の実施例において、システムのデフォルトの初期状態が活性状態である場合、ＰＤＣＰパケット複製機能の初期状態を活性状態に設定し、同様に、システムのデフォルトの初期状態が非活性状態である場合、ＰＤＣＰパケット複製機能の初期状態を非活性状態に設定する。
【０１４０】
（２−２）基地局によって送信された第１の指示情報に、さらに前記基地局によって構成されたＰＤＣＰパケット複製機能の初期状態を特徴付けるための第２の情報が含まれ、前記初期状態は、活性状態または非活性状態である。この場合、基地局によって構成された初期状態をＰＤＣＰパケット複製機能の初期状態として設定することができる。
【０１４１】
本開示の実施例において、基地局によって構成された初期状態が活性状態である場合、ＰＤＣＰパケット複製機能の初期状態を活性状態に設定し、同様に、基地局によって構成された初期状態が非活性状態である場合、ＰＤＣＰパケット複製機能の初期状態を非活性状態に設定する。
【０１４２】
前記（２−１）および（２−２）のこの２つの方法には、優先的に（２−２）を使用することができ、即ち、基地局が初期状態を構成した場合、基地局によって構成された初期状態を使用し、基地局が初期状態を構成しない場合のみ、システムデフォルトの状態を使用する。
【０１４３】
上記の実施例からわかるように、基地局の構成にしたがって同じ初期状態を設定することにより、こうして、基地局は、ＰＤＣＰパケット複製機能を活性化するかどうかを柔軟に把握することができ、それにより、基地局がＰＤＣＰパケット複製機能に対する初期状態の制御を実現し、無線ベアラ指示の信頼性を向上させることができる。
【０１４４】
ある実施例において、第１の指示情報には、さらに、前記基地局によって構成されたベアラ分離のための指定された閾値と指定された伝送エンティティを特徴付けるための第３の情報を含み、前記指定された伝送エンティティは、プライマリＲＬＣエンティティまたはセカンダリＲＬＣエンティティであり、端末がＲＢに対応する伝送機能をベアラ分離機能に設定した後、図８に示されるように、前記無線ベアラの指示方法は、次のステップ８１０〜８２０をさらに含む。
【０１４５】
ステップ８１０において、基地局によって構成されたベアラ分離のための指定された閾値と指定された伝送エンティティにしたがって、ベアラ分離機能に対応する第１のベアラ分離ルールを設定する。
【０１４６】
本開示の実施例において、第１のベアラ分離ルールは、伝送データの量が指定された閾値より小さい場合、基地局によって構成された指定された伝送エンティティを現在の伝送エンティティであることを指示することと、伝送データの量が指定された閾値より大きいか等しい場合、プライマリＲＬＣエンティティとセカンダリＲＬＣエンティティが両方とも現在の伝送エンティティであることを指示することを含む。
【０１４７】
ここで、伝送データの量が指定された閾値より小さい場合、伝送データの量が小さいことを説明し、１つの伝送エンティティを使用して伝送すればよく、伝送データの量が指定された閾値より大きいか等しい場合、伝送データの量が大きいことを説明し、伝送のスピードを向上させるために、この場合は、２つの伝送エンティティで伝送することが必要である。
【０１４８】
ステップ８２０において、第１のベアラ分離ルールで指示される現在の伝送エンティティを使用してデータ伝送を行う。
【０１４９】
本開示の実施例において、第１のベアラ分離ルールで指示される現在の伝送エンティティがプライマリＲＬＣエンティティである場合、プライマリＲＬＣエンティティを使用してデータ伝送を行い、第１のベアラ分離ルールで指示される現在の伝送エンティティがセカンダリＲＬＣエンティティである場合、セカンダリＲＬＣエンティティを使用してデータ伝送を行い、第１のベアラ分離ルールで指示される現在の伝送エンティティがプライマリＲＬＣエンティティとセカンダリＲＬＣエンティティである場合、プライマリＲＬＣエンティティとセカンダリＲＬＣエンティティを使用してデータ伝送を行う。
【０１５０】
上記の実施例からわかるように、基地局の構成にしたがって対応するベアラ分離ルールを設定し、対応するベアラ分離ルールを使用してデータ伝送を行うことにより、データ伝送の効率を確保し、さらに各伝送エンティティの使用率も改善することができる。
【０１５１】
ある実施例において、第１の指示情報には、さらに第４の情報を含み、前記第４の情報は、前記基地局によって構成された前記ＰＤＣＰパケット複製機能の初期状態、前記基地局によって構成されたベアラ分離のための指定された閾値と指定された伝送エンティティ、および前記基地局によって構成された優先的に開始される伝送機能を特徴付けるためであり、前記初期状態は、活性状態または非活性状態であり、前記指定された伝送エンティティは、プライマリＲＬＣエンティティまたはセカンダリＲＬＣエンティティであり、前記優先的に開始される伝送機能は、ＰＤＣＰパケット複製機能またはベアラ分離機能である。端末が、ＲＢに対応する伝送機能をＰＤＣＰパケット複製機能とベアラ分離機能に設定した後、図９に示されるように、前記無線ベアラの指示方法は、さらに次のステップ９１０〜９５０を含む。
【０１５２】
ステップ９１０において、基地局によって構成された初期状態をＰＤＣＰパケット複製機能の初期状態として設定する。
【０１５３】
ステップ９２０において、前記基地局によって構成された指定された閾値と指定された伝送エンティティにしたがって、ベアラ分離機能に対応する第２のベアラ分離ルールを設定する。
【０１５４】
本開示の実施例において、第２のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することとを含む。
【０１５５】
ステップ９３０において、設定されたＰＤＣＰパケット複製機能の初期状態が活性状態であるかどうかを判定して、そうである場合、ステップ９４０を実行し、そうではない場合、ステップ９５０を実行する。
【０１５６】
ステップ９４０において、ベアラ分離機能が停止され、プライマリＲＬＣエンティティとセカンダリＲＬＣエンティティを介してＰＤＣＰパケットとＰＤＣＰ複製パケットをそれぞれ送信し、プロセスが終了する。
【０１５７】
ステップ９５０において、第２のベアラ分離ルールで指示される現在の伝送エンティティを使用してデータ伝送を行い、または、プライマリＲＬＣエンティティを使用してデータ伝送を行い、セカンダリＲＬＣエンティティに既に送信されたデータは、セカンダリＲＬＣエンティティを介して引き続き伝送を行って、プロセスが終了する。
【０１５８】
上記の実施例からわかるように、基地局の構成にしたがって対応する設定を行うことにより、ＰＤＣＰパケット複製機能とベアラ分離機能に対する２つの状況で、初期状態が異なり、使用する伝送方式も異なって、こうして、基地局は、前記構成によって端末のデータ伝送方式を間接的に制御し、それにより、無線ベアラ伝送の信頼性を向上させることができる。
【０１５９】
ある実施例において、前記９５０では、基地局が優先的に開始される伝送機能を構成すると、この場合、次のことにより実現することができる。
【０１６０】
（３−１）基地局によって構成された優先的に開始される伝送機能がベアラ分離機能であるかどうかを判定して、そうである場合、（３−２）を実行し、そうではない場合、（３−３）を実行する。
【０１６１】
（３−２）前記第２のベアラ分離ルールに指示された現在の伝送エンティティを使用してデータ伝送を行い、プロセスが終了する。
【０１６２】
（３−３）プライマリＲＬＣエンティティを使用してデータ伝送を行い、セカンダリＲＬＣエンティティに既に送信されたデータは、セカンダリＲＬＣエンティティを介して引き続き伝送を行い、プロセスが終了する。
【０１６３】
上記の実施例からわかるように、基地局によって構成された優先的に開始される伝送機能がベアラ分離機能であるかどうかを判定して、そうである場合、前記第２のベアラ分離ルールに指示された現在の伝送エンティティを使用してデータ伝送を行い、そうではない場合、プライマリＲＬＣエンティティを使用してデータ伝送を行い、こうして、基地局は、前記構成によって端末のデータ伝送方式を間接的に制御し、それにより、無線ベアラ伝送の信頼性を向上させることができる。
【０１６４】
ある実施例において、前記無線ベアラの指示方法は、さらに次のステップ１０１０〜１０４０を含む。
【０１６５】
ステップ１０１０において、基地局によって送信された第２の指示メッセージを受信し、前記第２の指示メッセージは、ＰＤＣＰパケット複製機能に対する失活指示を特徴付けるためである。
【０１６６】
ステップ１０２０において、ＲＢに対応する伝送機能はＰＤＣＰパケット複製機能を含み、且つ前記ＰＤＣＰパケット複製機能が活性状態である場合、第２の指示情報にしたがってＲＢに対応する伝送機能がベアラ分離機能を含むかどうかを判定して、そうである場合、ステップ１０３０を実行し、そうではない場合、ステップ１０４０を実行する。
【０１６７】
ステップ１０３０において、プライマリＲＬＣエンティティとセカンダリＲＬＣを引き続き使用してデータ伝送を行い、ベアラ分離機能を有効にし、または、ベアラ分離機能を有効にせずに、プライマリＲＬＣエンティティを使用してデータ伝送を行い、プロセスが終了する。
【０１６８】
ステップ１０４０において、セカンダリＲＬＣエンティティを再構築し、プライマリＲＬＣエンティティを使用してデータ伝送を行い、プロセスが終了する。
【０１６９】
上記の実施例からわかるように、基地局によって送信されたＰＤＣＰパケット複製機能の失活指示を受信した後、ＲＢに対応する伝送機能がベアラ分離機能を含むかどうかを判定して、そうである場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行い、そうではない場合、セカンダリＲＬＣエンティティを再構築し、プライマリＲＬＣエンティティを使用してデータ伝送を行い、それにより、ＰＤＣＰパケット複製機能の失活後にもベアラ分離機能に切り替えるか、他の方式を使用してデータ伝送を行うことを確保して、無線ベアラ伝送の信頼性を向上させる。
【０１７０】
ある実施例において、前記１０３０では、基地局が優先的に開始される伝送機能を構成した場合、このとき、次のことを使用して実現することができる。
【０１７１】
（４−１）基地局によって構成された優先的に開始される伝送機能がベアラ分離機能であるかどうかを判定して、ベアラ分離機能である場合、（４−２）を実行し、ベアラ分離機能でではない場合、（４−３）を実行する。
【０１７２】
（４−２）プライマリＲＬＣエンティティとセカンダリＲＬＣを引き続き使用してデータ伝送を行う。
【０１７３】
（４−３）ベアラ分離機能を有効にせずにセカンダリＲＬＣエンティティを再構築して、プライマリＲＬＣエンティティを使用してデータ伝送を行う。
【０１７４】
上記の実施例からわかるように、基地局によって構成された優先的に開始される伝送機能がベアラ分離機能であるかどうかを判定することにより、ベアラ分離機能である場合、プライマリＲＬＣエンティティとセカンダリＲＬＣを引き続き使用してデータ伝送を行い、ベアラ分離機能ではない場合、ベアラ分離機能を有効にせずにセカンダリＲＬＣエンティティを再構築して、プライマリＲＬＣエンティティを使用してデータ伝送を行い、こうして、ＰＤＣＰパケット複製機能の失活後にもデータ伝送の円滑性を確保し、無線ベアラ伝送の信頼性を向上させることができる。
【０１７５】
ある実施例において、前記無線ベアラの指示方法は、さらに次のステップ１１１０〜１１４０を含む。
【０１７６】
ステップ１１１０において、基地局によって送信された第３の指示メッセージを受信し、第３の指示メッセージは、ＰＤＣＰパケット複製機能に対する構成解除指示を特徴付けるためである。
【０１７７】
本開示の実施例において、基地局によって送信された第３の指示メッセージを受信する前に、ＰＤＣＰパケット複製機能は、活性状態であってもよく、非活性状態であってもよく、さらに失活であってもよい。
【０１７８】
ステップ１１２０において、第３の指示情報にしたがって、ＲＢに対応する伝送機能がベアラ分離機能を含むかどうかを判定して、ベアラ分離機能を含む場合、ステップ１１３０を実行し、ベアラ分離機能を含まない場合、ステップ１１４０を実行する。
【０１７９】
ステップ１１３０において、プライマリＲＬＣエンティティとセカンダリＲＬＣを引き続き使用してデータ伝送を行って、ベアラ分離機能を有効にし、プロセスが終了する。
【０１８０】
ステップ１１４０において、セカンダリＲＬＣエンティティを解放して、プライマリＲＬＣエンティティを使用してデータ伝送を行い、プロセスが終了する。
【０１８１】
上記の実施例からわかるように、基地局によって送信されたＰＤＣＰパケット複製機能の構成解除指示を受信した後、ＲＢに対応する伝送機能がベアラ分離機能を含むかどうかを判定して、ベアラ分離機能を含む場合、プライマリＲＬＣエンティティとセカンダリＲＬＣを引き続き使用してデータ伝送を行って、ベアラ分離機能を有効にし、ベアラ分離機能を含まない場合、セカンダリＲＬＣエンティティを解放して、プライマリＲＬＣエンティティを使用してデータ伝送を行い、それにより、ＰＤＣＰパケット複製機能の構成解除後にもベアラ分離機能に切り替えるか、他の方式を使用してデータ伝送を行うことを確保して、無線ベアラ伝送の信頼性を向上させることができる。
【０１８２】
ある実施例において、前記無線ベアラの指示方法は、さらに次のステップ１２１０〜１２３０を含む。
【０１８３】
ステップ１２１０において、基地局によって送信された第４の指示メッセージを受信し、第２の指示メッセージは、ベアラ分離機能に対する構成解除指示を特徴付けるためである。
【０１８４】
ステップ１２２０において、ＲＢに対応する伝送機能がＰＤＣＰパケット複製機能とベアラ分離機能を含む場合、第４の指示メッセージにしたがってベアラ分離機能を停止する。
【０１８５】
ある実施例において、前記ステップ１２２０の後、前記無線ベアラの指示方法は、さらに次のステップ１２３０を含む。
【０１８６】
ステップ１２３０において、ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送する。
【０１８７】
上記の実施例からわかるように、基地局によって送信されたベアラ分離機能の構成解除指示を受信した後、ＲＢに対応する伝送機能がＰＤＣＰパケット複製機能とベアラ分離機能を含む場合、ベアラ分離機能が停止され、ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送し、それにより、ベアラ分離機能の構成解除を確保した後にも、ＰＤＣＰパケット複製機能の実現を確保し、無線ベアラ伝送の信頼性を向上させることができる。
【０１８８】
前述した無線ベアラの指示方法の実施例に対応して、本開示は、さらに無線ベアラの指示装置の実施例を提供する。
【０１８９】
図１３は、例示的な実施例により示す無線ベアラの指示装置のブロック図であり、前記無線ベアラの指示装置は、基地局に使用され、図１に示す無線ベアラの指示方法を実行するために使用され、図１３に示されるように、前記無線ベアラの指示装置は、
無線ベアラ（ＲＢ）に少なくとも１つの伝送機能を構成するように構成される第１の構成モジュール１３１と、
各前記伝送機能に共有される少なくとも２つの伝送エンティティを構成するように構成される第２の構成モジュール１３２と、
第１の情報を第１の指示メッセージに追加するように構成される第１の追加モジュール１３３であって、前記第１の指示メッセージは、前記伝送機能と前記伝送エンティティを特徴付けるためである、第１の追加モジュール１３３と、
前記端末が前記第１の指示メッセージにしたがって前記ＲＢに対応する伝送機能と伝送エンティティを設定するように、前記第１の指示メッセージを端末に送信するように構成される第１の送信モジュール１３４と、を含むことができる。
【０１９０】
上記の実施例からわかるように、ＲＢに少なくとも１つの伝送機能を構成することにより、各伝送機能に共有される少なくとも２つの伝送エンティティを構成し、基地局が無線ベアラ（ＲＢ）に構成した少なくとも１つの伝送機能と少なくとも２つの伝送エンティティを特徴付けるための第１の情報を第１の指示メッセージに追加し、第１の指示メッセージを端末に送信して、端末は、前記第１の指示メッセージにしたがって、ＲＢに対応する伝送機能と伝送エンティティを設定することができ、それにより、同じＲＢに対して少なくとも２つの共有の伝送エンティティを使用することで、１つまたは複数の伝送機能を実現し、無線ベアラの指示効率を向上させることができる。
【０１９１】
ある実施例において、前記少なくとも２つの伝送エンティティは、プライマリ無線リンク制御（ＲＬＣ）エンティティおよびセカンダリＲＬＣエンティティを含む。
【０１９２】
上記の実施例からわかるように、ＲＢにプライマリＲＬＣエンティティとセカンダリＲＬＣエンティティを構成することにより、端末が基地局の構成にしたがって、前記ＲＢのために、プライマリＲＬＣエンティティとセカンダリＲＬＣエンティティを設定することができ、こうして、端末が１つのＲＬＣエンティティのみを設定するため、基地局がＲＢに構成した伝送機能、特に、ＰＤＣＰパケット複製機能を実現することができないことを防止することができ、ＰＤＣＰパケットとＰＤＣＰ複製パケットが両方とも同じＲＬＣエンティティで伝送されると、即ち、ＰＤＣＰパケットとＰＤＣＰ複製パケットが同じキャリアで送信されると、同じキャリアでの信号品質が非常に悪いため、ＰＤＣＰ複製パケットが前記キャリアでまだ送信される場合に、送信が成功する確率が非常に低くなりデータパケットまたはシグナリングパケットの信頼性を向上させる目的を達成することができない問題を引き起こす。
【０１９３】
ある実施例において、前記少なくとも１つの伝送機能は、データパケット集約プロトコル（ＰＤＣＰ）パケット複製機能および／またはベアラ分離機能を含む。
【０１９４】
上記の実施例からわかるように、ＲＢにＰＤＣＰパケット複製機能および／またはベアラ分離機能を構成することにより、端末が基地局の構成にしたがって、前記ＲＢのために、対応するＰＤＣＰパケット複製機能および／またはベアラ分離機能を設定し、ＲＢの伝送機能、特にＰＤＣＰパケット複製機能を豊富にし、データパケットまたはシグナリングパケットの信頼性を向上させることができる。
【０１９５】
ある実施例において、図１４に示されるように、前記少なくとも１つの伝送機能はＰＤＣＰパケット複製機能のみを含み、図１３に示す装置に基づいて構築され、前記装置は、さらに、
ＰＤＣＰパケット複製機能の初期状態を構成するように構成される第３の構成モジュール１４１であって、前記初期状態は、活性状態または非活性状態である、第３の構成モジュール１４１と、
前記初期状態を特徴付けるための第２の情報を前記第１の指示メッセージに追加するように構成される第２の追加モジュール１４２と、を含む。
【０１９６】
上記の実施例からわかるように、ＰＤＣＰパケット複製機能の初期状態を構成することにより、ここで、前記初期状態は、活性状態または非活性状態であり、端末が基地局の構成にしたがって、同じ初期状態を設定し、こうして、基地局は、ＰＤＣＰパケット複製機能を活性化するかどうかを柔軟に把握することができ、それにより、基地局がＰＤＣＰパケット複製機能に対する初期状態の制御を実現し、無線ベアラ指示の信頼性を向上させることができる。
【０１９７】
ある実施例において、前記少なくとも１つの伝送機能はベアラ分離機能のみを含み、図１５に示されるように、図１３に示す装置に基づいて構築され、前記装置は、さらに、
ベアラ分離のための指定された閾値と指定された伝送エンティティを構成するように構成される第４の構成モジュール１５１であって、前記指定された伝送エンティティは、プライマリＲＬＣエンティティまたはセカンダリＲＬＣエンティティである、第４の構成モジュール１５１と、
前記指定された閾値と指定された伝送エンティティを特徴付けるための第３の情報を、前記第１の指示メッセージに追加するように構成される第３の追加モジュール１５２とを含む。
【０１９８】
上記の実施例からわかるように、指定された閾値と指定された伝送エンティティを構成することにより、端末が基地局の構成にしたがって、対応するベアラ分離ルールを設定して、対応するベアラ分離ルールをしようしてデータ伝送を行い、こうして、データ伝送の効率を確保し、さらに各伝送エンティティの使用率も改善することができる。
【０１９９】
ある実施例において、前記少なくとも１つの伝送機能はＰＤＣＰパケット複製機能とベアラ分離機能を含み、図１６に示されるように、図１３に示す装置に基づいて構築され、前記装置は、さらに、
前記ＰＤＣＰパケット複製機能の初期状態を構成するように構成される第５の構成モジュール１６１であって、前記初期状態は、活性状態または非活性状態である、第５の構成モジュール１６１と、
ベアラ分離ルール中の指定された閾値と指定された伝送エンティティを構成するように構成される第６の構成モジュール１６２であって、前記指定された伝送エンティティは、プライマリＲＬＣエンティティまたはセカンダリＲＬＣエンティティである、第６の構成モジュール１６２と、
優先的に開始される伝送機能を構成するように構成される第７の構成モジュール１６３であって、前記優先的に開始される伝送機能は、ＰＤＣＰパケット複製機能またはベアラ分離機能である、第７の構成モジュール１６３と、
第４の情報を前記第１の指示メッセージに追加するように構成される第４の追加モジュール１６４であって、前記第４の情報は、前記初期状態、前記指定された閾値と指定された伝送エンティティ、前記優先的に開始される伝送機能を特徴付けるためである、第４の追加モジュール１６４と、を含む。
【０２００】
上記の実施例からわかるように、ＰＤＣＰパケット複製機能の初期状態を構成することにより、ここで、前記初期状態は、活性状態または非活性状態であり、ベアラ分離のための指定された閾値と指定された伝送エンティティを構成し、前記指定された伝送エンティティは、プライマリＲＬＣエンティティまたはセカンダリＲＬＣエンティティであり、優先的に開始される伝送機能を構成し、前記優先的に開始される伝送機能は、ＰＤＣＰパケット複製機能またはベアラ分離機能であり、端末が基地局の構成にしたがって、対応する設定を行い、ＰＤＣＰパケット複製機能とベアラ分離機能に対する２つの状況で、初期状態が異なり、優先的に開始される伝送機能が異なり、端末の使用する伝送方式も異なって、こうして、基地局は、前記構成によって端末のデータ伝送方式を間接的に制御し、それにより、無線ベアラ伝送の信頼性を向上させることができる。
【０２０１】
ある実施例において、図１３に示す装置に基づいて構築され、前記装置は、さらに、
前記端末に第２の指示メッセージを送信するように構成される第２の送信モジュールであって、前記第２の指示メッセージは、ＰＤＣＰパケット複製機能に対する失活指示を特徴付けるためである、第２の送信モジュールを含む。
【０２０２】
上記の実施例からわかるように、端末に第２の指示メッセージを送信することにより、ここで、前記第２の指示メッセージは、ＰＤＣＰパケット複製機能に対する失活指示を特徴付けるためであり、それにより、基地局のＰＤＣＰパケット複製機能に対する失活を実現し、無線ベアラ指示の信頼性を向上させることができる。
【０２０３】
ある実施例において、図１３に示す装置に基づいて構築され、前記装置は、さらに、
前記端末に第３の指示メッセージを送信するように構成される第３の送信モジュールであって、前記第３の指示メッセージは、ＰＤＣＰパケット複製機能に対する構成解除指示を特徴付けるためである、第３の送信モジュールを含む。
【０２０４】
上記の実施例からわかるように、端末に第３の指示メッセージを送信することにより、ここで、第３の指示メッセージは、ＰＤＣＰパケット複製機能に対する構成解除指示を特徴付けるためであり、それにより、基地局のＰＤＣＰパケット複製機能に対する構成解除を実現し、無線ベアラ指示の信頼性を向上させることができる。
【０２０５】
ある実施例において、図１３に示す装置に基づいて構築され、前記装置は、さらに、
前記端末に第４の指示メッセージを送信するように構成される第４の送信モジュールであって、前記第４の指示メッセージは、ベアラ分離機能に対する構成解除指示を特徴付けるためである、第４の送信モジュールを含む。
【０２０６】
上記の実施例からわかるように、端末に第４の指示メッセージを送信することにより、第４の指示メッセージは、ベアラ分離機能に対する構成解除指示を特徴付けるためであり、それにより、基地局のベアラ分離機能に対する構成解除を実現し、無線ベアラ指示の信頼性を向上させることができる。
【０２０７】
図１７は、例示的な実施例により示す無線ベアラの指示装置のブロック図であり、前記無線ベアラの指示装置は、端末に使用されて、図７に示す無線ベアラの指示方法を実行することができ、図１７に示されるように、前記無線ベアラの指示装置は、
基地局によって送信された第１の指示メッセージを受信するように構成される第１の受信モジュール１７１であって、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためである、第１の受信モジュール１７１と、
前記第１の情報の少なくとも１つの伝送機能にしたがって、前記ＲＢに対応する伝送機能を設定するように構成される第１の設定モジュール１７２と、
前記第１の情報の少なくとも２つの伝送エンティティにしたがって、前記ＲＢに対応する伝送エンティティを設定するように構成される第２の設定モジュール１７３と、を含むことができる。
【０２０８】
上記の実施例からわかるように、基地局によって送信された第１の指示メッセージを受信することにより、第１の指示メッセージには、第１の情報を含み、前記第１の情報は、基地局がＲＢに構成した少なくとも１つの伝送機能と少なくとも２つの伝送エンティティを特徴付けるためであり、第１の情報のうちの少なくとも１つの伝送機能にしたがってＲＢに対応する伝送機能を設定し、第１の情報のうちの少なくとも１つの伝送機能にしたがってＲＢに対応する伝送機能を設定し、それにより、同じＲＢに対して少なくとも２つの共有の伝送エンティティを使用することで、１つまたは複数の伝送機能を実現し、無線ベアラの指示効率を向上させることができる。
【０２０９】
ある実施例において、前記少なくとも２つの伝送エンティティは、プライマリ無線リンク制御（ＲＬＣ）エンティティおよびセカンダリＲＬＣエンティティを含み、図１８に示されるように、図１７に示す装置に基づいて構築され、前記第２の設定モジュール１７３は、
前記基地局によって構成されたプライマリＲＬＣエンティティとセカンダリＲＬＣエンティティを、前記ＲＢに対応する伝送エンティティとして設定するように構成される第１の設定サブモジュール１８１を含むことができる。
【０２１０】
上記の実施例からわかるように、基地局の構成にしたがって前記ＲＢのために、プライマリＲＬＣエンティティとセカンダリＲＬＣエンティティを設定することができ、こうして、端末が１つのＲＬＣエンティティのみを設定するため、基地局がＲＢに構成した伝送機能、特に、ＰＤＣＰパケット複製機能を実現することができないことを防止することができ、ＰＤＣＰパケットとＰＤＣＰ複製パケットが両方とも同じＲＬＣエンティティで伝送されると、即ち、ＰＤＣＰパケットとＰＤＣＰ複製パケットが同じキャリアで送信されると、同じキャリアでの信号品質が非常に悪いため、ＰＤＣＰ複製パケットが前記キャリアでまだ送信される場合に、送信が成功する確率が非常に低くなりデータパケットまたはシグナリングパケットの信頼性を向上させる目的を達成することができない問題を引き起こす。
【０２１１】
ある実施例において、前記少なくとも１つの伝送機能はデータパケット集約プロトコル（ＰＤＣＰ）パケット複製機能および／またはベアラ分離機能を含み、図１９に示されるように、図１７または図１８に示す装置に基づいて構築され、前記第１の設定モジュール１７２は、
前記少なくとも１つの伝送機能がＰＤＣＰパケット複製機能のみを含む場合、前記ＲＢに対応する伝送機能をＰＤＣＰパケット複製機能に設定するように構成される第２の設定サブモジュール１９１と、
前記少なくとも１つの伝送機能がベアラ分離機能のみを含む場合、前記ＲＢに対応する伝送機能をベアラ分離機能に設定するように構成される第３の設定サブモジュール１９２と、
前記少なくとも１つの伝送機能がＰＤＣＰパケット複製機能とベアラ分離機能を含む場合、前記ＲＢに対応する伝送機能をＰＤＣＰパケット複製機能とベアラ分離機能に設定するように構成される第４の設定サブモジュール１９３と、を含むことができる。
【０２１２】
上記の実施例からわかるように、基地局の構成にしたがって前記ＲＢのために、対応するＰＤＣＰパケット複製機能および／またはベアラ分離機能を設定し、ＲＢの伝送機能、特にＰＤＣＰパケット複製機能を豊富にし、データパケットまたはシグナリングパケットの信頼性を向上させることができる。
【０２１３】
ある実施例において、前記ＲＢに対応する伝送機能をＰＤＣＰパケット複製機能に設定した後、図２０に示されるように、図１９に示す装置に基づいて構築され、前記装置は、さらに、
前記ＲＢに対応する伝送機能をＰＤＣＰパケット複製機能に設定した後、システムのデフォルトの初期状態をＰＤＣＰパケット複製機能の初期状態として設定するように構成される第３の設定モジュール２０１であって、前記システムのデフォルトの初期状態は、活性状態または非活性状態を含む、第３の設定モジュール２０１を含むことができる。
【０２１４】
ある実施例において、前記第１の指示情報は第２の情報をさらに含み、前記第２の情報は、前記基地局によって構成されたＰＤＣＰパケット複製機能の初期状態を特徴付けるためであり、前記初期状態は、活性状態または非活性状態であり、前記ＲＢに対応する伝送機能をＰＤＣＰパケット複製機能に設定した後、図２１に示されるように、図１９に示す装置に基づいて構築され、前記装置は、さらに、
前記ＲＢに対応する伝送機能をＰＤＣＰパケット複製機能に設定した後、前記基地局によって構成された前記初期状態をＰＤＣＰパケット複製機能の初期状態として設定するように構成される第４の設定モジュール２１１を含むことができる。
【０２１５】
上記の実施例からわかるように、基地局の構成にしたがって同じ初期状態を設定することにより、こうして、基地局は、ＰＤＣＰパケット複製機能を活性化するかどうかを柔軟に把握することができ、それにより、基地局がＰＤＣＰパケット複製機能に対する初期状態の制御を実現し、無線ベアラ指示の信頼性を向上させることができる。
【０２１６】
ある実施例において、前記第１の指示情報は第３の情報をさらに含み、前記第３の情報は、前記基地局によって構成されたベアラ分離のための指定された閾値と指定された伝送エンティティを特徴付けるためであり、前記指定された伝送エンティティは、プライマリＲＬＣエンティティまたはセカンダリＲＬＣエンティティであり、前記ＲＢに対応する伝送機能をベアラ分離機能に設定した後、図２２に示されるように、図１９に示す装置に基づいて構築され、前記装置は、さらに、
前記ＲＢに対応する伝送機能をベアラ分離機能に設定した後、前記基地局によって構成された前記指定された閾値と前記指定された伝送エンティティにしたがって、ベアラ分離機能に対応する第１のベアラ分離ルールを設定するように構成される第５の設定モジュール２２１であって、前記第１のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第５の設定モジュール２２１と、
前記第１のベアラ分離ルールで指示された現在の伝送エンティティを使用して、データ伝送を行うように構成される第１の伝送モジュール２２２と、を含むことができる。
【０２１７】
上記の実施例からわかるように、基地局の構成にしたがって対応するベアラ分離ルールを設定して、対応するベアラ分離ルールをしようしてデータ伝送を行い、データ伝送の効率を確保し、さらに各伝送エンティティの使用率も改善することができる。
【０２１８】
ある実施例において、前記第１の指示情報は第４の情報をさらに含み、前記第４の情報は、前記基地局によって構成された前記ＰＤＣＰパケット複製機能の初期状態、前記基地局によって構成されたベアラ分離のための指定された閾値と指定された伝送エンティティ、および前記基地局によって構成された優先的に開始される伝送機能を特徴づけるためであり、前記初期状態は、活性状態または非活性状態であり、前記指定された伝送エンティティは、プライマリＲＬＣエンティティまたはセカンダリＲＬＣエンティティであり、前記優先的に開始される伝送機能は、ＰＤＣＰパケット複製機能またはベアラ分離機能であり、前記ＲＢに対応する伝送機能をＰＤＣＰパケット複製機能とベアラ分離機能に設定した後、図２３に示されるように、図１９に示す装置に基づいて構築され、前記装置は、さらに、
前記ＲＢに対応する伝送機能をＰＤＣＰパケット複製機能とベアラ分離機能に設定した後、前記基地局によって構成された前記初期状態をＰＤＣＰパケット複製機能の初期状態として設定するように構成される第６の設定モジュール２３１と、
前記基地局によって構成された前記指定された閾値と前記指定された伝送エンティティにしたがって、ベアラ分離機能に対応する第２のベアラ分離ルールを設定するように構成される第７の設定モジュール２３２であって、前記第２のベアラ分離ルールは、伝送データの量が前記指定された閾値より小さい場合、前記指定された伝送エンティティが現在の伝送エンティティであることを指示することと、伝送データの量が前記指定された閾値より大きいか等しい場合、プライマリＲＬＣエンティティとセカンダリＲＬＣエンティティが両方とも現在の伝送エンティティであることを指示することと、を含む、第７の設定モジュール２３２と、
設定されたＰＤＣＰパケット複製機能の初期状態が活性状態であるかどうかを判定するように構成される第１の判定モジュール２３３と、
初期状態が活性状態であると決定された場合、ベアラ分離機能を停止し、プライマリＲＬＣエンティティとセカンダリＲＬＣエンティティを介してＰＤＣＰパケットとＰＤＣＰ複製パケットをそれぞれ送信するように構成される第２の伝送モジュール２３４と、
初期状態が非活性状態であると決定された場合、前記第２のベアラ分離ルールに指示された現在の伝送エンティティを使用してデータ伝送を行い、または、プライマリＲＬＣエンティティを使用してデータ伝送を行って、セカンダリＲＬＣエンティティに既に送信されたデータは、セカンダリＲＬＣエンティティを介して引き続き伝送を行うように構成される第３の伝送モジュール２３５と、を含むことができる。
【０２１９】
上記の実施例からわかるように、基地局の構成にしたがって対応する設定を行うことにより、ＰＤＣＰパケット複製機能とベアラ分離機能に対する２つの状況で、初期状態が異なり、使用する伝送方式も異なって、こうして、基地局は、前記構成によって端末のデータ伝送方式を間接的に制御し、それにより、無線ベアラ伝送の信頼性を向上させることができる。
【０２２０】
ある実施例において、第３の伝送モジュール２３５は、
前記基地局によって構成された優先的に開始される伝送機能がベアラ分離機能であるかどうかを判定するように構成される第１の判定サブモジュールと、
前記基地局によって構成された優先的に開始される伝送機能がベアラ分離機能である場合、前記第２のベアラ分離ルールに指示された現在の伝送エンティティを使用してデータ伝送を行うように構成される第１の伝送サブモジュールと、
前記基地局によって構成された優先的に開始される伝送機能がベアラ分離機能ではない場合、プライマリＲＬＣエンティティを使用してデータ伝送を行って、セカンダリＲＬＣエンティティに既に送信されたデータは、セカンダリＲＬＣエンティティを介して引き続き伝送を行うように構成される第２の伝送サブモジュールと、を含むことができる。
【０２２１】
上記の実施例からわかるように、基地局によって構成された優先的に開始される伝送機能がベアラ分離機能であるかどうかを判定して、そうである場合、前記第２のベアラ分離ルールに指示された現在の伝送エンティティを使用してデータ伝送を行い、そうではない場合、プライマリＲＬＣエンティティを使用してデータ伝送を行い、こうして、基地局は、前記構成によって端末のデータ伝送方式を間接的に制御し、それにより、無線ベアラ伝送の信頼性を向上させることができる。
【０２２２】
ある実施例において、図２４に示されるように、図１７に示す装置に基づいて構築され、前記装置は、さらに、
基地局によって送信された第２の指示メッセージを受信するように構成される第２の受信モジュールであって、前記第２の指示メッセージは、ＰＤＣＰパケット複製機能に対する失活指示を特徴付けるためである、第２の受信モジュールと、
前記ＲＢに対応する伝送機能はＰＤＣＰパケット複製機能を含み、且つ前記ＰＤＣＰパケット複製機能が活性状態にある場合、前記第２の指示情報にしたがって、前記ＲＢに対応する伝送機能がベアラ分離機能を含むかどうかを判定するように構成される第２の判定モジュール２４２と、
前記ＲＢに対応する伝送機能がベアラ分離機能を含む場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行うように構成される第４の伝送モジュール２４３と、
前記ＲＢに対応する伝送機能がベアラ分離機能を含まない場合、セカンダリＲＬＣエンティティを再構築し、プライマリＲＬＣエンティティを使用してデータ伝送を行うように構成される第５の伝送モジュール２４４と、を含むことができる。
【０２２３】
上記の実施例からわかるように、基地局によって送信されたＰＤＣＰパケット複製機能の失活指示を受信した後、ＲＢに対応する伝送機能がベアラ分離機能を含むかどうかを判定して、そうである場合、プライマリＲＬＣエンティティとセカンダリＲＬＣを引き続き使用してデータ伝送を行って、ベアラ分離機能を有効にし、またはベアラ分離機能を有効にせずにプライマリＲＬＣエンティティを使用してデータ伝送を行い、そうではない場合、セカンダリＲＬＣエンティティを再構築して、プライマリＲＬＣエンティティを使用してデータ伝送を行い、それにより、ＰＤＣＰパケット複製機能の失活後にもベアラ分離機能に切り替えるか、他の方式を使用してデータ伝送を行うことを確保して、無線ベアラ伝送の信頼性を向上させる。
【０２２４】
ある実施例において、第４の伝送モジュール２４３は、
前記基地局によって構成された優先的に開始される伝送機能がベアラ分離機能であるかどうかを判定するように構成される第２の判定サブモジュールと、
基地局によって構成された優先的に開始される伝送機能がベアラ分離機能である場合、プライマリＲＬＣエンティティとセカンダリＲＬＣを引き続き使用してデータ伝送を行うように構成される第３の伝送サブモジュールと、
基地局によって構成された優先的に開始される伝送機能がベアラ分離機能ではない場合、ベアラ分離機能を有効にせずにセカンダリＲＬＣエンティティを再構築し、プライマリＲＬＣエンティティを使用してデータ伝送を行うように構成される第４の伝送サブモジュールと、を含むことができる。
【０２２５】
上記の実施例からわかるように、基地局によって構成された優先的に開始される伝送機能がベアラ分離機能であるかどうかを判定して、そうである場合、プライマリＲＬＣエンティティとセカンダリＲＬＣを引き続き使用してデータ伝送を行い、そうではない場合、ベアラ分離機能を有効にせずにセカンダリＲＬＣエンティティを再構築して、プライマリＲＬＣエンティティを使用してデータ伝送を行い、こうしてＰＤＣＰパケット複製機能の失活後にもデータ伝送的円滑性を確保し、無線ベアラ伝送の信頼性を向上させることができる。
【０２２６】
ある実施例において、図２５に示されるように、図１７に示す装置に基づいて構築され、前記装置は、さらに、
基地局によって送信された第３の指示メッセージを受信するように構成される第３の受信モジュール２５１であって、前記第３の指示メッセージは、ＰＤＣＰパケット複製機能に対する構成解除指示を特徴付けるためである、第３の受信モジュール２５１と、
前記第３の指示情報にしたがって、前記ＲＢに対応する伝送機能がベアラ分離機能を含むどうかを判定するように構成される第３の判定モジュール２５２と、
前記ＲＢに対応する伝送機能がベアラ分離機能を含む場合、プライマリＲＬＣエンティティとセカンダリＲＬＣを引き続き使用してデータ伝送を行い、ベアラ分離機能を有効にするように構成される第６の伝送モジュール２５３と、
前記ＲＢに対応する伝送機能がベアラ分離機能を含まない場合、セカンダリＲＬＣエンティティを解放し、プライマリＲＬＣエンティティを使用してデータ伝送を行うように構成される第７の伝送モジュール２５４と、を含むことができる。
【０２２７】
上記の実施例からわかるように、基地局によって送信されたＰＤＣＰパケット複製機能の構成解除指示を受信した後、ＲＢに対応する伝送機能がベアラ分離機能を含むかどうかを判定して、そうである場合、プライマリＲＬＣエンティティとセカンダリＲＬＣを引き続き使用してデータ伝送を行って、ベアラ分離機能を有効にし、そうではない場合、セカンダリＲＬＣエンティティを解放して、プライマリＲＬＣエンティティを使用してデータ伝送を行い、それにより、ＰＤＣＰパケット複製機能の構成解除後にもベアラ分離機能に切り替えるか、他の方式を使用してデータ伝送を行うことを確保して、無線ベアラ伝送の信頼性を向上させる。
【０２２８】
ある実施例において、図２６に示されるように、図１７に示す装置に基づいて構築され、前記装置は、さらに、
基地局によって送信された第４の指示メッセージを受信するように構成される第４の受信モジュール２６１であって、前記第２の指示メッセージは、ベアラ分離機能に対する構成解除指示を特徴付けるためである、第４の受信モジュール２６１と、
前記ＲＢに対応する伝送機能がＰＤＣＰパケット複製機能とベアラ分離機能を含む場合、前記第４の指示メッセージにしたがってベアラ分離機能を停止するように構成される停止モジュール２６２と、を含むことができる。
【０２２９】
ある実施例において、図２６に示す装置に基づいて構築され、前記装置は、さらに、
前記第４の指示メッセージにしたがってベアラ分離機能を停止した後、ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送するように構成される第８の伝送モジュールを含むことができる。
【０２３０】
上記の実施例からわかるように、基地局によって送信されたベアラ分離機能の構成解除指示を受信した後、ＲＢに対応する伝送機能にＰＤＣＰパケット複製機能とベアラ分離機能を含む場合、ベアラ分離機能が停止され、ＰＤＣＰパケット複製機能が不活性状態である場合、プライマリＲＬＣエンティティを介してデータを伝送し、または、セカンダリＲＬＣエンティティを再構築して、プライマリＲＬＣエンティティを介して引き続きデータを伝送し、それにより、ベアラ分離機能の構成解除を確保した後、さらにＰＤＣＰパケット複製機能の実現も確保して、無線ベアラ伝送の信頼性を向上させる。
【０２３１】
装置の実施例に関しては、それは、基本的に方法の実施例に対応するので、関連する部分は、方法の実施例の部分の説明を参照してもよい。上記の装置の実施例はただ例示的であり、個別のコンポーネントとして説明されるユニットは物理的に分離される場合とされない場合があり、ユニットとして示されるコンポーネントは、物理ユニットである場合とそうでない場合があり、即ち、１つの場所に配置することも、複数のネットワーク要素に分散することもできる。モジュールのいくつかまたはすべては、本開示の解決策の目的を達成するための実際のニーズに従って選択することができる。当業者は、創造的な努力なしに理解および実施することができる。
【０２３２】
対応的に、本開示は、コンピュータプログラムが記憶される非一時的なコンピュータ読み取り可能な記憶媒体をさらに提供し、前記コンピュータプログラムは、前記図１ないし図６の任意に記載の無線ベアラの指示方法を実行するためである。
【０２３３】
対応的に、本開示は、コンピュータプログラムが記憶される非一時的なコンピュータ読み取り可能な記憶媒体をさらに提供し、前記コンピュータプログラムは、前記図７ないし図１２の任意に記載の無線ベアラの指示方法を実行するためである。
【０２３４】
対応的に、本開示は、基地局に使用される無線ベアラの指示装置をさらに提供し、前記装置は、
プロセッサと、
プロセッサ実行可能な命令を格納するためのメモリと、を含み、
前記プロセッサは、
無線ベアラ（ＲＢ）に少なくとも１つの伝送機能を構成し、
各前記伝送機能に共有される少なくとも２つの伝送エンティティを構成し、
第１の情報を第１の指示メッセージに追加し、前記第１の指示メッセージは、前記伝送機能と前記伝送エンティティを特徴付けるためであり、
前記端末が前記第１の指示メッセージにしたがって前記ＲＢに対応する伝送機能と伝送エンティティを設定するように、前記第１の指示メッセージを端末に送信するように構成される。
【０２３５】
図２７に示されるように、図２７は、例示的な実施例により示す無線ベアラの指示装置の構造模式図である。装置２７００は、基地局として提供されることができる。図２７を参照すると、装置２７００は、処理コンポーネント２７２２、無線送信／受信コンポーネント２７２４、アンテナコンポーネント２７２６、および無線インターフェースに特有の信号処理部分を含み、処理コンポーネント２７２２は、１つまたは複数のプロセッサをさらに含むことができる。
【０２３６】
処理コンポーネント２７２２内の１つのプロセッサは、前記任意に記載の無線ベアラの指示方法を実行するように構成されることができる。
【０２３７】
対応的に、本開示は、端末に使用される無線ベアラの指示装置をさらに提供し、前記装置は、
プロセッサと、
プロセッサ実行可能な命令を格納するためのメモリと、を含み、
前記プロセッサは、
基地局によって送信された第１の指示メッセージを受信し、前記第１の指示メッセージは第１の情報を含み、前記第１の情報は、前記基地局が無線ベアラ（ＲＢ）に構成した少なくとも１つの伝送機能と少なくとも２つの伝送エンティティを特徴付けるためであり、
前記第１の情報の少なくとも１つの伝送機能にしたがって、前記ＲＢに対応する伝送機能を設定し、
前記第１の情報の少なくとも２つの伝送エンティティにしたがって、前記ＲＢに対応する伝送エンティティを設定するように構成される。
【０２３８】
図２８は、例示的な実施例により示す無線ベアラの指示装置の構造模式図である。図２８に示されるように、無線ベアラの指示装置２８００は例示的な実施例によって示され、前記装置２８００は、コンピュータ、携帯電話、デジタル放送端末、メッセージングデバイス、ゲームコンソール、タブレットデバイス、医療機器、フィットネス機器携帯情報端末等端末であってもよい。
【０２３９】
図２８を参照すると、装置２８００は、処理コンポーネント２８０１、メモリ２８０２、電源コンポーネント２８０３、マルチメディアコンポーネント２８０４、オーディオコンポーネント２８０５、入力／出力（Ｉ／Ｏ）インターフェース２８０６、センサコンポーネント２８０７、および通信コンポーネント２８０８のうちの１つまたは複数のコンポーネントを含むことができる。
【０２４０】
処理コンポーネント２８０１は、通常は、ディスプレイ、電話、データ通信、カメラ操作および記録操作に関連する操作のような装置２８００の全体的な操作を制御する。処理コンポーネント２８０１は、前記の方法のステップのすべてまたは一部を完成するために、１つまたは複数のプロセッサ２８０９によって命令を実行する。加えて、処理コンポーネント２８０１と他のコンポーネントとの間の相互作用を容易にするために、処理コンポーネント２８０１は、１つまたは複数のモジュールを含むことができる。例えば、処理コンポーネント２８０１は、マルチメディアコンポーネント２８０４と処理コンポーネント２８０１との間の相互作用を容易にするために、マルチメディアモジュールを含むことができる。
【０２４１】
メモリ２８０２は、装置２８００での操作をサポートするために、様々なタイプのデータを格納するように構成される。これらのデータの例には、装置２８００で操作するアプリケーションまたは方法の命令、連絡先データ、電話帳データ、メッセージ、写真、ビデオ等が含まれる。メモリ２８０２は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、読み取り専用メモリ（ＲＯＭ）、磁気メモリ、フラッシュメモリ、磁気ディスクまたは光ディスクなど、あらゆるタイプの揮発性または不揮発性ストレージデバイスまたはそれらの組み合わせで具現することができる。
【０２４２】
電源コンポーネント２８０３は、装置２８００の様々なコンポーネントに電力を提供する。電源コンポーネント２８０３は、電源管理システム、１つまたは複数の電源、および装置２８００の電力の生成、管理および分配に関する他のコンポーネントを含むことができる。
【０２４３】
マルチメディアコンポーネント２８０４は、前記装置２８００とユーザとの間の、出力インターフェースを提供するスクリーンを含む。いくつかの実施例において、スクリーンは、液晶ディスプレイ（ＬＣＤ）およびタッチパネル（ＴＰ）を含み得る。スクリーンがタッチパネルを含む場合、スクリーンは、ユーザからの入力信号を受信するためのタッチスクリーンとして具現されることができる。タッチパネルは、タッチ、スワイプおよびタッチパネルでのジェスチャーを検知するための１つまたは複数のタッチセンサが含まれる。前記タッチセンサは、タッチまたはスワイプの操作の境界を感知するだけでなく、前記タッチまたはスワイプ動作に関連する持続時間および圧力も検出することができる。いくつかの実施例において、マルチメディアコンポーネント２８０４は、フロントカメラおよび／またはリアカメラを含む。装置２８００が、撮影モードまたはビデオモードなどの操作モードにあるとき、フロントカメラおよび／またはリアカメラは、外部のマルチメディアデータを受信することができる。各フロントカメラおよびリアカメラは、それぞれ固定光学レンズシステムであるかまたは焦点距離と光学ズーム機能を持つことができる。
【０２４４】
オーディオコンポーネント２８０５は、オーディオ信号を出力および／または入力するように構成される。例えば、オーディオコンポーネント２８０５は、１つのマイクロフォン（ＭＩＣ）を含み、装置２８００が通話モード、記録モードおよび音声認識モードなどの操作モードにあるとき、マイクロフォンは、外部オーディオ信号を受信するように構成される。受信されたオーディオ信号は、メモリ２８０２にさらに格納されてもよいし、または通信コンポーネント２８０８を介して送信されてもよい。いくつかの実施例において、オーディオコンポーネント２８０５は、さらにオーディオ信号を出力するためのスピーカを含む。
【０２４５】
Ｉ／  Ｏインターフェース２８０６は、処理コンポーネント２８０１と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを含むが、これらに限定されない。
【０２４６】
センサコンポーネント２８０７は、装置２８００に各態様の評価を提供するための１つまたは複数のセンサを含む。例えば、センサコンポーネント２８０７は、装置２８００のオン／オフ状態と、装置２８００のディスプレイやキーパッドなどであるコンポーネントの相対的な位置づけとを検出することができ、センサコンポーネント２８０７は、装置２８００または装置２８００のコンポーネントの位置の変化、ユーザとの装置２８００の接触の有無、装置２８００の向きまたは加速／減速、および装置２８００の温度の変化を検出することができる。センサコンポーネント２８０７は、物理的接触なしに近くの物体の存在を検出するように構成された近接センサを含むことができる。センサコンポーネント２８０７は、撮像用途で使用するためのＣＭＯＳまたはＣＣＤ画像センサなどの光センサも含むことができる。いくつかの実施例において、前記センサコンポーネント２８０７は、加速度センサ、ジャイロスコープセンサ、磁気センサ、圧力センサまたは温度センサをさらに含むことができる。
【０２４７】
通信コンポーネント２８０８は、装置２８００と他の機器との間の有線または無線通信を容易にするように構成される。装置２８００は、ＷｉＦｉ、２Ｇまたは３Ｇ、またはそれらの組み合わせなどの通信規格に基づく無線ネットワークにアクセスすることができる。ある例示的な実施例において、通信コンポーネント２８０８は、放送チャンネルを介して外部放送管理システムからの放送信号または放送関連情報を受信する。ある例示的な実施例において、前記通信コンポーネント２８０８は、短距離通信を促進するために、近距離通信（ＮＦＣ）モジュールをさらに含む。例えば、ＮＦＣモジュールは、無線周波数識別（ＲＦＩＤ）技術、赤外線通信協会（ＩｒＤＡ）技術、ウルトラワイドバンド（ＵＷＢ）技術、ブルートゥース（登録商標）（ＢＴ）技術および他の技術に基づいて具現することができる。
【０２４８】
例示的な実施例において、装置２８００は、前記方法を実行するために、１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって具現される。
【０２４９】
例示的な実施例において、命令を含むメモリ２８０２などの、命令を含む非一時的なコンピュータ読み取り可能な記憶媒体を提供することができ、前記命令は、装置２８００のプロセッサ２８０９によって実行されて前記方法を完成することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピーディスクおよび光データ記憶装置等であってもよい。
【０２５０】
前記記憶媒体内の命令が前記プロセッサによって実行されるとき、装置２８００は、前記任意に記載の無線ベアラの指示方法を実行することができる。
【０２５１】
当業者は、明細書を考慮して、本明細書に開示された開示を実施した後、本開示の他の実施方案を容易に想到し得るであろう。本出願は、本開示のあらゆる変形、応用または適応性変化を網羅することを意図し、これらの変形、応用または適応性変化は、本開示の普通の原理に準拠し本開示によって開示されていない本技術分野における公知知識または従来の技術的手段を含む。明細書と実施例は、例示としてのみ考慮され、本開示の真の範囲および思想は添付の特許請求の範囲によって示される。
【０２５２】
本開示は、上記で説明され、図面に示された正確な構造に限定されるものではなく、その範囲から逸脱することなく様々な修正および変更を行うことができることを理解されたい。本開示の範囲は、添付の特許請求の範囲によってのみ制限される。
【図１】
0006964179.tif 000002
【図２】
0006964179.tif 000003
【図３】
0006964179.tif 000004
【図４】
0006964179.tif 000005
【図５】
0006964179.tif 000006
【図６】
0006964179.tif 000007
【図７】
0006964179.tif 000008
【図８】
0006964179.tif 000009
【図９】
0006964179.tif 000010
【図１０】
0006964179.tif 000011
【図１１】
0006964179.tif 000012
【図１２】
0006964179.tif 000013
【図１３】
0006964179.tif 000014
【図１４】
0006964179.tif 000015
【図１５】
0006964179.tif 000016
【図１６】
0006964179.tif 000017
【図１７】
0006964179.tif 000018
【図１８】
0006964179.tif 000019
【図１９】
0006964179.tif 000020
【図２０】
0006964179.tif 000021
【図２１】
0006964179.tif 000022
【図２２】
0006964179.tif 000023
【図２３】
0006964179.tif 000024
【図２４】
0006964179.tif 000025
【図２５】
0006964179.tif 000026
【図２６】
0006964179.tif 000027
【図２７】
0006964179.tif 000028
【図２８】
0006964179.tif 000029